(57)【要約】  本開示の実施形態は、固定システムを有する使い捨て着用可能吸収性物品を含む。実施形態では、使い捨て着用可能吸収性物品は、吸収性コアと、吸収性コアを着用者に固定するように構成された固定システムとを含む。物品は、人体模型落下試験で特定数の落下後に、特定の距離未満の平均たるみが生じるように構成されている。
2009539482.tif 000002
【特許請求の範囲】
【請求項１】
人体模型落下試験で２回落下後に、２４ミリメートル未満の平均たるみが生じるように構成されている
ことを特徴とする使い捨て着用可能吸収性物品。
【請求項２】
吸収性コアと、
前記吸収性コアを着用者に固定するように構成された固定システムと、
外側カバーと、を含む、請求項１に記載の使い捨て着用可能吸収性物品。
【請求項３】
前記固定システムは、前記外側カバーに組み込まれた周辺固定部材を有する、請求項２に記載の使い捨て着用可能吸収性物品。
【請求項４】
前記物品が、前側、後側、前側と後側との間の側部境界、横方向中心線、及び、長手方向中心線を含み、
前記吸収性コアが、前記前側に設けられている前側部分と、前記後側に設けられている後側部分と、を含み、
前記固定システムが、前記前側及び前記後側と交わるようにして設けられ前記前側部分及び前記後側部分に接合された連続的な周辺固定部材を含む、請求項２に記載の使い捨て着用可能吸収性物品。
【請求項５】
実質的に、前記後側と交わって設けられている前記連続的な周辺固定部材の部分の全てが、前記横方向中心線とほぼ平行である、請求項４に記載の使い捨て着用可能吸収性物品。
【請求項６】
前記連続的な周辺固定部材は、側部交差位置で前記側部境界と交差し、
前記連続的な周辺固定部材は、前記側部交差位置に対して長手方向内側にある前側位置で前記前側部分に接合されている、請求項４に記載の使い捨て着用可能吸収性物品。
【請求項７】
人体模型落下試験で２回落下後に、磁気共鳴映像装置により測定すると、１８立方センチメートル未満の平均たるみ容積が生じるように構成されている
ことを特徴とする使い捨て着用可能吸収性物品。
【請求項８】
吸収性コアと、
前記吸収性コアを着用者に固定するように構成された固定システムと、
外側カバーと、を含む、請求項７に記載の使い捨て着用可能吸収性物品。
【請求項９】
前記固定システムは、前記外側カバーに組み込まれた周辺固定部材を有する、請求項８に記載の使い捨て着用可能吸収性物品。
【請求項１０】
前記物品が、前側、後側、前側と後側との間の側部境界、横方向中心線、及び、長手方向中心線を含み、
前記吸収性コアが、前記前側に設けられている前側部分と、前記後側に設けられている後側部分と、を含み、
前記固定システムが、前記前側及び前記後側と交わるようにして設けられ前記前側部分及び前記後側部分に接合された連続的な周辺固定部材を含む、請求項８に記載の使い捨て着用可能吸収性物品。
【請求項１１】
実質的に、前記後側と交わって設けられている前記連続的な周辺固定部材の部分の全てが、前記横方向中心線とほぼ平行である、請求項１０に記載の使い捨て着用可能吸収性物品。
【請求項１２】
前記連続的な周辺固定部材は、側部交差位置で前記側部境界と交差し、
前記連続的な周辺固定部材は、前記側部交差位置に対して長手方向内側にある前側位置で前記前側部分に接合されている、請求項１０に記載の使い捨て着用可能吸収性物品。
【発明の詳細な説明】
【技術分野】
【０００１】
一般に、本開示の実施形態は、使い捨て着用可能吸収性物品に関する。特に、本開示の実施形態は、固定システムを有する使い捨て着用可能吸収性物品に関する。
【背景技術】
【０００２】
使い捨て着用可能吸収性物品としては、使い捨ておむつ及び使い捨て失禁用下着が挙げられる。使い捨て着用可能吸収性物品は、着用者により着用されている間、体外排泄物を受容し収容することができる。そのような物品を、いくつかの構成で種々の材料により作製することができる。例えば、使い捨て着用可能吸収性物品を、伸縮性ウエストバンド及び非伸縮性外側カバーにより作製することができる。
【発明の開示】
【発明が解決しようとする課題】
【０００３】
使い捨て着用可能吸収性物品の設計は、物品を着用者に合わせる方法に影響を及ぼす可能性がある。残念ながら、一部の使い捨て着用可能吸収性物品は、着用者に不完全に合わせられる。
【０００４】
例として、伸縮性ウエストバンド及び非伸縮性外側カバーを有する一部の使い捨て着用可能吸収性物品は、着用者が身に付けて嵩高な形状を有することができる。嵩高な形状を有する使い捨て着用可能吸収性物品は、窮屈に感じ魅力なく見える可能性がある。また、例として、伸縮性ウエストバンド及び非伸縮性外側カバーを有する一部の使い捨て着用可能吸収性物品は、着用者が動くとき着用者の体に適合しにくい可能性がある。着用者の体に適合しにくい使い捨て着用可能吸収性物品は、窮屈に感じ魅力なく見える可能性がある。更なる例として、伸縮性ウエストバンド及び非伸縮性外側カバーを有する一部の使い捨て着用可能吸収性物品は、着用者が着用したときたるみ又は滑り落ちる可能性がある。着用者が着用したときたるみ又は滑り落ちる使い捨て着用可能吸収性物品は、窮屈に感じ、魅力なく見え、物品が漏れを生じやすいため不十分に機能する可能性がある。
【課題を解決するための手段】
【０００５】
本開示の実施形態は、着用者に適切に合わせる固定システムを有する使い捨て着用可能吸収性物品を含む。一部の実施形態では、これらの物品は、伸縮性外側カバーを含むことができる。これらの使い捨て着用可能吸収性物品の設計は、着用者が動くときに物品が着用者の体に順応する下着様外観を有することを可能にする。これらの物品の設計はまた、着用者が着用したとき物品がたるみ（落ち込み、ゆるみ）又は滑り落ちるのを防止するのを助けることもする。その結果、本開示の使い捨て着用可能吸収性物品は、物品がぴったりと合い、所定の場所に留まり、漏れない傾向があるので快適な感じがし、魅力的に見え、適切に機能することができる。
【発明を実施するための最良の形態】
【０００６】
本開示の実施形態は、使い捨て着用可能吸収性物品を含む。本開示全体を通して、用語「使い捨て着用可能吸収性物品」とは、着用者の人体の下部胴体に着用され、体からの排泄物（例えば、尿及び糞便）を受容及び収容し、着用者によって１回使用後処分されるように構成された物品を指す。従って、使い捨て着用可能吸収性物品は、汚れた物品又は物品の汚れた部分が回復若しくは再使用されることを意図されていない（例えば、洗濯されることを意図されていない）ように構成される。使い捨て着用可能吸収性物品の例としては、使い捨ておむつ、使い捨て失禁用下着等が挙げられる。使い捨て着用可能吸収性物品は、前形成腰部開口及び脚部開口を有するパンツ型構成並びに消費者が着用者の体の周りで物品を締結する手段を有する締結可能な構成などの様々な方法で構成されることができる。
【０００７】
本開示の実施形態では、使い捨て着用可能吸収性物品は、吸収性コアを含むことができる。本開示全体を通して、用語「吸収性コア」とは、着用者の体から物品に受容される排泄物を吸収するように構成された使い捨て着用可能吸収性物品の一部を指す。吸収性コアは、当業者により理解されるであろう種々の方法で構成されることができる。吸収性コアの例としては、吸収性コア組立品（１つ以上の任意のコア構造体を有する）、バケツ形状の吸収性コア、取り外し可能な及び／又は交換可能な吸収性コア等が挙げられる。
【０００８】
本開示の実施形態では、本明細書に説明したような固定システムを有する使い捨て着用可能吸収性物品は、伸縮性外側カバーを含むことができる。例えば、外側カバーは、１つの方向に伸張するように構成された一軸伸縮性外側カバーであることができる。また、例として、外側カバーは、２つの方向に伸張するように構成された二軸伸縮性外側カバーであることができる。種々な実施形態では、外側カバーは、名称「吸収性物品用二軸伸縮性外側カバー（Biaxially Stretchable Outer Cover for an Absorbent Article）」、エクスプレス・メール番号ＥＶ９１６９３９６２５で２００６年１１月１５日に出願され、更に代理人整理番号１０６４３により識別される米国非暫定的特許出願に記載されたように構成することができ、参照として本明細書に組み込まれる。
【０００９】
本開示の実施形態では、本明細書に説明したように、固定システムを有する使い捨て着用可能吸収性物品は、伸縮性である、非伸縮性である、弾性不織布による、弾性フィルム及び延伸性不織布による、延伸性フィルム及び弾性不織布による、接触可能な弾性ストランドで前延伸された、機械的に活性化された、ゼロ歪積層体による、及び／又はこれらの組み合わせのような外側カバーの一部又は全部の構成、並びにあらゆるその他の外側カバー構成を含む種々の方法で構成された外側カバーを含むことができる。本開示の種々の実施形態では、本明細書に説明したように、固定システムを有する使い捨て着用可能吸収性物品は、固定システムの１つ以上の要素を別々に、或いは当業者により理解されるであろう種々の坪量、化学的性質及び／又は機械的な活性化と組み合わせて形成する印刷外側カバーを含むことができる。
【００１０】
本開示の実施形態では、本明細書に説明したように、固定システムを有する使い捨て着用可能吸収性物品は、名称「固定されたコア組立体を有する吸収性物品（Absorbent Article Having an Anchored Core Assembly）」、エクスプレス・メール番号ＥＶ９１６９３９６３４で２００６年１１月１５日に出願され、更に代理人整理番号１０４３２ＭＱにより識別される米国非暫定的特許出願に記載されたような種々の構造及び／又は機能と共に構成することができ、参照として本明細書に組み込まれる。また、本開示の実施形態では、本明細書に説明したように、固定システムを有する使い捨て着用可能吸収性物品は、名称「巻き付き及び巻き込み構成を有する使い捨て吸収性物品（Disposable Absorbent Article Having a Wrap and Tuck Configuration）」、エクスプレス・メール番号ＥＶ９１６９３９６１７で２００６年１１月１５日に出願され、更に代理人整理番号１０６４４により識別される米国非暫定的特許出願に記載されたような巻き付き及び巻き込み構成を有することができ、参照として本明細書に組み込まれる。
【００１１】
本開示全体を通して、各種の図が、人間の体を示す。全体として見ると、これらの図は、様々な人間の外面の解剖学的特徴及びこれらの特徴の一般的な関係性の存在を示すことを意図されている。参照を容易にするため、本開示は、簡単で形式張らない技術用語を用いる多くのこれらの特徴を指す。これらの人間の解剖学的特徴は、本開示の実施形態による固定システムを有する使い捨て着用可能吸収性物品に関連づけることができる。一部の図は、どのようにしてそのような物品を人間の体に合わせることができるのかを示すことを意図されている。
【００１２】
本開示では、人間の体を示す図は、全ての人間の解剖学的特徴を示すことを意図されていない。これらの図はまた、示されている人間の解剖学的特徴の厳密な詳細又は正確な比率を教示することも意図されていない。更に、これらの図は、本開示の実施形態を任意の特定の寸法、形状、又は人間の体の型に限定することを意図されていない。
【００１３】
使い捨て着用可能吸収性物品を着用者に定置する際、該物品は、着用者を基準にして初期位置に定置される。この初期位置の位置は、物品の寸法、着用者の体の形状、及び物品が着用者に定置される方法などの多くの要因により決めることができる。例えば、締結可能なおむつの初期位置は、おむつが着用者のまわりに締結される位置によってある程度決めることができる。しかし、使い捨て着用可能吸収性物品が着用者によって着用されるとき、多くの抵抗力が物品に影響を及ぼし得る。
【００１４】
これらの抵抗力の一部は、物品を着用者に接して動かす傾向を持ち得る。本開示全体を通して、用語「負荷」とは、着用者に接した箇所から物品を動かす傾向がある抵抗力を指す。第１に、使い捨て着用可能吸収性物品は、物品の着用者への装着に由来する種々の負荷を受けることができる。例として、物品を締結することに由来する一部のあらかじめ加えられた抵抗力は、物品を下方に動かすことができる。第２に、使い捨て着用可能吸収性物品は、物品の環境に由来する様々な負荷を受けることができる。例えば、着用者の衣類は、物品を着用することができる。第３に、使い捨て着用可能吸収性物品は、着用者の動きに由来する様々な負荷を受けることができる。例えば、着用者が位置を変え又は動き回るとき、着用者の体が物品の一部に押しかかり又は物品に動的な抵抗力をもたらし得る。第４に、重力は、使い捨て着用可能吸収性物品を着用者に対して下に動かすことができる。物品は、物品の質量並びに物品に収容された任意の体外排泄物の質量により重力に由来する有意な負荷を受けることができる。これらの負荷は、使い捨て着用可能吸収性物品に影響を及ぼすことができ、着用者に対して物品を動かす傾向がある。
【００１５】
しかし、使い捨て着用可能吸収性物品に影響を及ぼす他の抵抗力は、物品を着用者の所定の位置に保持する傾向があり得る。第１に、使い捨て着用可能吸収性物品は、物品の着用者への装着に由来する様々な保持力を受けることができる。例として、物品を締結することに由来する他のあらかじめ加えられた抵抗力は、物品を上方に動かすことができる。第２に、使い捨て着用可能吸収性物品の一部は、着用者の皮膚との接触に由来する摩擦推力を受けることができる。例えば、物品は、物品のウエストバンドが着用者の腰部まわりに及びそれに対して巻き付く場合、摩擦推力を受けることができる。第３に、使い捨て着用可能吸収性物品の一部は、着用者の体の様々な外面の解剖学的特徴との接触に由来する反作用の力を受けることができる。例として、物品は、物品が着用者の尻部の突出した部分と接触する場合、反作用の力を受けることができる。この例では、反作用の力は、物品を押し上げることにより重力に逆らって反応する。これらの保持力は、使い捨て着用可能吸収性物品に影響を及ぼすことができ、物品を着用者の所定の位置に保持する傾向がある。
【００１６】
一部の抵抗力は使い捨て着用可能吸収性物品を着用者に対して下方に移動させる傾向があり、他の抵抗力は使い捨て着用可能吸収性物品を着用者に対して上方に移動させる傾向があるので、物品の一部又は全部は、そのような抵抗力が均衡するかどうかにより移動される又は移動されない場合がある。物品を上方に保持する傾向がある抵抗力を物品を下方に移動する傾向がある抵抗力と等しくできる場合、物品は、着用者の所定の位置にそのままであることができる。物品を下方に移動する傾向がある抵抗力が物品を上方に保持する傾向がある抵抗力より大きい場合、物品の一部又は全部は、着用者に対して下方に移動させることができる。時として、抵抗力が使い捨て着用可能吸収性物品の一部又は全部を下方に移動させる可能性があり、その結果たるみ及び／又は滑り落ちが生じる。
【００１７】
しかし、本開示の実施形態は、着用者が着用したときに、使い捨て着用可能吸収性物品がたるみ又は滑り落ちるのを防止するのを助けることができる。使い捨て着用可能吸収性物品は、固定システムを含むことができる。様々な実施形態では、固定システムは、物品に作用する負荷の少なくとも一部を収集するように構成されることができる。固定システムはまた、それ自体を着用者の体に固定するように構成されることもできる。このようにして、固定システムは、固定することにより得られる保持力で収集された負荷を均衡させることができる。得られた保持力で収集された負荷を均衡させることにより、固定システムは、使い捨て着用可能吸収性物品を着用者の所定の位置に保持するのを少なくとも支援することができる。
【００１８】
使い捨て着用可能吸収性物品の固定システムは、物品に作用する負荷の少なくとも一部を収集する様々な方法で構成されることができる。一部の実施形態では、固定システムは、物品の吸収性コアからの負荷を保持するように構成されることができる。例えば、固定システムは、本明細書に説明したように、様々な方法で吸収性コアに接合できる１つ以上の要素を含むことができる。固定システムが負荷を効率的に収集するため、使い捨て着用可能吸収性物品は、固定システムが負荷を収集する傾向があり、物品の他の部分が負荷を収集しない傾向があるように構成されることができる。従って、負荷は、外側カバーなどの物品の他の部分を介して分配される代わりに、固定システムを介して誘導されることができる。
【００１９】
使い捨て着用可能吸収性物品の一部は、その部分が負荷を収集しない傾向があるような様々な方法で構成されることができる。力の分離（Force-decoupling）が、これらの構成の一部に使用されることができる。本開示全体を通して、用語「力の分離」とは、使い捨て着用可能吸収性物品の部分間の構成関係を指す。第１部分が第２部分から力の分離をされている場合、どの部分も他の部分に実質的な抵抗力を伝達しない傾向があるように該部分は構成され、同時に物品は着用者によって着用される。使い捨て着用可能吸収性物品は、吸収性コア及び外側カバーを含むことができるが、本明細書の様々な実施形態で説明したように、該外側カバーは吸収性コアから実質的に力の分離をされることができる。
【００２０】
実質的な抵抗力がその直接接続により部分間に伝達されなければ、力の分離は、必ずしも力の分離をされた部分が直接接続されないようにし、同時に物品は着用者によって着用される。使い捨て着用可能吸収性物品の直接接続に由来する抵抗力の伝達は、経路長さの構成及び／又は材料伸張性などの様々な方法で実質的に減少されることができる。例示的実施形態として、第１点で外側カバーに直接接続され、第２点で固定システムに直接接続される吸収性コアを有する使い捨て着用可能吸収性物品では、該物品は、吸収性コアを介した第１点から第２点までの経路は、外側カバーを介した第１点から第２点までの経路よりも短いように構成されることができる。
【００２１】
この例の機能性は、下記の経路長さ図で説明されることができる。第１ロープの末端部が、第１点及び第２点に接続される。同様に、第２ロープの末端部も、第１点及び第２点に接続される。一方のロープが他方よりかなり短いことを除いて２つのロープは類似である。第１点及び第２点は、互いに十分に近接しており、ロープのそれぞれの中間部は垂れ下がっている。第１点が第２点から離れて移動した場合、両方のロープの中間はその垂れ下がった位置から上がり始める。しかし、長いロープがピンと引っ張られる前に短いロープがピンと引っ張られることになる。短いロープは、第１点と第２点との間に直線を形成することになり、一方長いロープの中間部は依然として幾分垂れ下がったままである。従って、短いロープは、該点を離れて移動している抵抗力に由来する張力を保持することになる。長いロープは、依然として第１点及び第２点に接続されているが、それはその張力を保持していない。
【００２２】
この経路長さ図は、使い捨て着用可能吸収性物品を用いた前の例示的実施形態を説明するために使用されることができる。吸収性コアを介した第１点から第２点までの経路は、経路長さ図の短いロープと類似している。外側カバーを介した第１点から第２点までの経路は、経路長さ図の長いロープと類似している。この結果、使い捨て着用可能吸収性物品は、吸収性コアからの負荷が、それが外側カバーを介して張力をもたらす（長い経路）前に、吸収性コアを介して張力をもたらす（短い経路）ように構成される。吸収性コアを介した張力は、第２点を介して固定システムに伝達できる。従って、例示の構成では、吸収性コアからの負荷は、それが外側カバーに張力をもたらす前に、固定システムに張力をもたらすことができる。
【００２３】
使い捨て着用可能吸収性物品の直接接続に由来する抵抗力の伝達はまた、材料伸張性の構成により実質的に減少されることもできる。例示的実施形態として、固定システムに接合され外側カバーに直接接続される吸収性コアを有する使い捨て着用可能吸収性物品では、外側カバーは、伸縮性であるように構成されることができ、一方吸収性コアは、非伸縮性であるように構成されることができる。
【００２４】
この例の機能性は、下記の材料伸張性図を用いて説明されることができる。伸張バネの末端部は、第１点及び第２点に接続される。同様に、ロープの末端部も第１点及び第２点に接続される。伸張バネは、第１点と第２点との間に直線を形成し、一方ロープの中間部は、いくぶん垂れ下がったままである。第１点が第２点から離れて移動する場合、伸張バネは伸長しはじめ、ロープの中間部はその垂れ下がり位置から上がり始めることになる。しかし、ロープは、ピンと引っ張られてもよいが、伸張バネは、依然として伸長したままである。従って、ロープは、該点を離れて移動する抵抗力に由来するより多くの張力を保持してよい。伸張バネは、依然として第１点及び第２点に接続され、該点間で伸長するが、それは、その張力をそれほど保持しなくてよい。
【００２５】
この材料伸張性図は、使い捨て着用可能吸収性物品を用いて前の例示的実施形態を説明するのに使用されることができる。伸縮性外側カバーは、材料伸張性図の伸張バネと類似している。非伸縮性吸収性コアは、材料伸張性図のロープと類似している。この結果、使い捨て着用可能吸収性物品は、吸収性コアからの負荷が（非伸縮性）吸収性コアにより大きい張力をもたらし、（伸縮性）外側カバーにより小さい張力をもたらすように構成される。吸収性コアを介したより大きい張力を、固定システムに伝達することができる。従って、例示の構成では、吸収性コアからの負荷は、外側カバーよりも固定システムにより大きい張力をもたらすことができる。
【００２６】
様々な実施形態では、使い捨て着用可能吸収性物品の要素の第１部分は、その同じ要素の第２部分から力の分離をされることができる。例えば、外側カバーの内部は、その同じ外側カバーの外側周辺部から力の分離をされることができる。これは、外側カバー内に異なる材料伸張性を構成することにより達成されることができる。例として、外側カバーの内部は低伸張性により構成することができ、内部と周辺部との間の外側カバーの外部は、高伸張性により構成することができ、或いは逆もまた同様である。このように、外部の高伸張性構成は、外側カバーの外側周辺部から外側カバーの内部の力の分離をすることができる。
【００２７】
上記したように、固定システムは、使い捨て着用可能吸収性物品に作用する負荷を収集するように構成されることができ、それ自体を着用者の体に固定し、固定することから得られる保持力により収集した負荷を均衡させることができる。本開示全体を通して、用語「固定された」とは、使い捨て着用可能吸収性物品の固定システムの一部又は全体、及び着用者の体の一部又は全体の構成関係を指す。固定システムの要素が着用者の体の一部に固定されている場合、要素の少なくとも一部は体の一部と接触し、固定システムは要素とその部分との間の相対的な動きを少なくとも減少及び／又は防止するように構成され、同時に物品は着用者によって着用される。
【００２８】
固定システムは、着用者の体の様々な部分に接触するように構成された固定システムの１つ以上の要素により着用者の体に固定されることができる。例えば、固定システムは、着用者の体の前側、後側、及び／又は側周りの少なくとも途中で１つ以上の固定システム要素を巻き付けることにより少なくとも部分的に固定されることができ、それにより摩擦及び／又は反作用の力をもたらす。一部の実施形態では、比較的小さい曲率半径を有する体の一部は、より大きい摩擦推力をもたらすことができる、それは要素が、そのような部分の周りによりしっかりと巻き付く傾向があり得るためである。また、例として、固定システムは、１つ以上の固定システム要素を着用者の体の突出した部分、その周り、及び／又はその上に固定することにより少なくとも部分的に固定されることができ、それにより摩擦及び／又は反作用の力をもたらす。一部の実施形態では、比較的大きい水平突出部を有する体の一部は、より大きい反作用の力をもたらす、それは要素が、そのような部分をより確実に吊るし及び／又はそれに跨る傾向があり得るためである。種々の実施形態では、固定システムが固定され得る着用者の体の部分は、固定領域と呼ばれることができる。
【００２９】
負荷を収集し、それ自体を着用者の体に固定し、様々な抵抗力を均衡させるため、固定システムは、いくつかの固定システム要素を含むように構成されることができる。一部の実施形態では、固定システム要素は、張力を保持するように構成された細長い要素であることができる。固定システム要素は、固定システムが含まれる使い捨て着用可能吸収性物品の着用者の体の外表面上の種々の経路に従うことができる。これらの外表面の形状は、経路の形状に影響を及ぼすことができる。経路の形状は、順次固定システム要素の構成に影響を及ぼすことができる。人間の体の多くの外表面は、人間の体の尻部の周りの曲線などの湾曲した形状を含む。一部の実施形態では、湾曲した経路に従う固定システム要素は、測地線的であることができる。
【００３０】
用語、測地線とは、湾曲した幾可学的形状により説明される数学的特性を有する理論的な要素を指す。この理論的な文脈では、測地線は、曲面上の曲線であり、該曲線は、その曲面から見たとき、左又は右に向きを変えず真っ直ぐに移動しているように見受けられる。換言すれば、測地線を、摩擦のない局面上にピンと引っ張られた線として考えることができる。平面上では、２つの点間の最も短い距離は直線である。局面上では、２つの点間の最も短い距離は測地線である。測地線及びそれらの数学的特性の更なる情報は、微分幾何学及び一般相対性理論のテキスト、例えば、バレット・オニール（Barrett O’Neill）著、「初等微分幾何学（Elementary Differential Geometry）」、第７章（アカデミックプレス（Academic Press）、２００６年）；及びジェイムス・フォスター（James Foster）＆デビッドＪ．ナイチンゲール（David J. Nightingale）著、「一般相対性理論入門（A Short Course in General Relativity）」、第２．１章（スプリンガー・サイエンス・アンド・ビジネスメディア（Springer Science and Business Media）、２００６年）に見出すことができる。本開示全体を通して、それ自体と交差しない２つの終端点を有する測地線は「開測地線（open geodesic）」と呼ばれる。本開示全体を通して、それ自体と交差する測地線は「閉測地線（closed）」と呼ばれ、交差点は「角部（corner）」と呼ばれる。
【００３１】
固定システム要素を、測地線として構成することができる。本開示全体を通して、固定システム要素は、測地線として記載されるが、これらの説明は、そのような固定システム要素が理論的な測地線要素に対する緊密な近似として構成されることを意味することを意図している。実際の要素は、理論的な測地線要素と全く同じように挙動することができない、というのは、当業者により理解されるように、実際の要素は、必ず少なくともいくらかの摩擦を受け、必ず少なくともいくらかの小さい非軸線方向の外部の抵抗力を受けるからである。
【００３２】
固定システム要素を、要素が着用者の体の外表面上の様々な凸部湾曲経路に従うとき測地線として構成することができる。張力の負荷を受ける（例えば、軸線方向の負荷）固定システム要素は、張力が要素を凸部湾曲経路に適合させるので、測地線として構成される。点負荷が測地線である固定システム要素に加えられる場合、測地線に対してインライン以外の角度で、その点負荷は当初の測地線を変形させ、当初の測地線を固定システム要素の２つの新しい測地線に分割する。同様に、測地線として張力で構成された固定システム要素が、人間の体の一般に凸部外表面の凹部上を通過する場合、要素は凹部部分に橋をかけ、固定システム要素を凹部部分のいずれかの凸部側部上の２つの測地線に分離する。更に、固定システム要素の橋掛け部分も測地線である、というのは、それは空間における直線であるからである。測地線である固定システム要素が、要素の長さの少なくとも一部に沿って分配される負荷を受ける場合、測地線に対してインライン以外の角度で要素はもはや測地線として挙動せず、代わりに本明細書で「幾何学的固定」と呼ばれる方法で機能しはじめる。固定システムは、いくつかの固定システム要素を含むことができ、その少なくとも一部を測地線として構成することができる。
【００３３】
周辺固定部材（ＣＡＭ）は、着用者の体の曲面上の閉じた経路の一部又は全部に経路を保持する物理的張力である固定システム要素である。ＣＡＭ経路は、着用者の体の下部胴体を少なくとも部分的に取り囲む。一部の実施形態では、ＣＡＭ経路は、着用者の体の下部胴体をほぼ又は完全に取り囲むことができる。
【００３４】
使い捨て着用可能吸収性物品の固定システムでは、１つ以上のＣＡＭを着用者の体の様々な部分に接触するように構成することができ、少なくとも固定システムを体に固定する支援をする。ＣＡＭは、負荷分配要素（ＬＤＥ）又は吸収性コアなどの使い捨て着用可能吸収性物品の１つ以上の他の要素に接合されていることにより少なくともいくらかの収集された負荷を受容することができる。ＣＡＭはまた、保持力も提供し、体との接触を介して収集された負荷を均衡させるのを助けることができる。これらの負荷及び抵抗力を均衡させる際、ＣＡＭは固定システムの張力を保持する。この均衡は、固定システムが使い捨て着用可能吸収性物品を着用者の所定の場所に保持する際、少なくとも支援することができる。
【００３５】
ＣＡＭを、種々の形態に構成することができる。一部の実施形態では、ＣＡＭは固定バンド又はファスナーなどのいくつかの要素を含むことができる。ＣＡＭの一部又は全部は、直線の、湾曲した、角度を付けた、セグメント化した、又はこれらの形状の組み合わせであることができる。ＣＡＭはまた、使い捨て着用可能吸収性物品の分離性の要素であることもできる。別の方法としては、ＣＡＭの一部又は全部を、使い捨て着用可能吸収性物品の外側カバー及び／又は腰部カバーに接合及び／又は一体化することができる。
【００３６】
ＣＡＭを、固定システムの張力を保持するのに好適な任意の材料から作製することができる。ＣＡＭの一部又は全ては、弾性、伸張性又は非伸縮性であることができる。一部の実施形態では、ＣＡＭは、エラストマー材、例えば押出しフィルム、弾性体、不織布、スクリム、スロットコーティングされたフィルム、スプレー若しくはメルトブロー繊維、又は印刷された弾性体であることができる。様々な使い捨て着用可能吸収性物品では、ＣＡＭは、物品の外側カバーの全体の弾性率を超える弾性率を有することができる。ＣＡＭは、任意の好適な幅又は厚さであることができる。例えば、ＣＡＭは、幅５ミリメートル〜約７５ミリメートル又はその範囲内の任意の幅であることができる。一部の実施形態では、ＣＡＭの幅又は厚さは、ＣＡＭの長さにわたって変更することができる。
【００３７】
固定バンドは、２つの末端部間の長さ及びその長さ未満である画定された幅を有する、材料の物理的バンドである固定システム要素である。固定バンドを、張力の力を一方の末端部から他方に伝達し、そのような張力を固定システムに保持するのに十分な力を有するように構成することができる。固定バンドの一部又は全部は、直線の、湾曲した、角度を付けた、セグメント化した、又はこれらの形状の組み合わせであることができる。固定バンドは、使い捨て着用可能吸収性物品の分離性の要素であることができる。別の方法としては、固定バンドの一部又は全部を、使い捨て着用可能吸収性物品の外側カバー及び／又は腰部カバーに接合及び／又は一体化することができる。一部の実施形態では、使い捨て着用可能吸収性物品の吸収性コアの一部は、その部分にわたって張力を保持するように構成することにより黙示的な固定バンド（implied anchoring band）を形成することができる。様々な実施形態では、固定バンドは、負荷分配要素であることができる。
【００３８】
負荷分配要素（ＬＤＥ）は、使い捨て着用可能吸収性物品の固定システムの要素間の負荷を誘導及び／又は分配するタイプの固定バンドである。ＬＤＥは、吸収性コアなどの使い捨て着用可能吸収性物品の１つ以上の他の要素に接合されていることにより少なくともいくらかの収集された負荷を受容することができる。ＬＤＥは、ＣＡＭなどの固定システムの１つ以上の固定要素に接合されていることにより、そのような負荷を誘導及び／又は分配することができる。様々な実施形態では、固定システムのＬＤＥを、負荷のほぼ全て又は全てでさえも使い捨て着用可能吸収性物品の吸収性コアから誘導及び／又は分配するように構成することができる。この誘導及び／又は分配は、使い捨て着用可能吸収性物品の外側カバーに力の分離をもたらすことができ、固定システムが使い捨て着用可能吸収性物品を着用者の所定の場所に保持するのを少なくとも支援することができる。
【００３９】
ＬＤＥを、様々な方法で固定システムに構成することができる。固定システムは、任意の数のＬＤＥを含むことができる。ＬＤＥを、吸収性コアの衣類に面する表面又は着用者に面する表面に接合することができる。同様に、ＬＤＥを、ＣＡＭの衣類に面する表面又は着用者に面する表面に接合することができる。一部の実施形態では、ＬＤＥを、中間体要素によりＣＡＭに接合することができる。ＬＤＥは、使い捨て着用可能吸収性物品の分離性の要素であることができる。別の方法としては、ＬＤＥの一部又は全部を、使い捨て着用可能吸収性物品の外側カバー及び／又は腰部カバーに接合及び／又は一体化することができる。一部の実施形態では、ＬＤＥを、ＣＡＭと一体化することができる。様々な実施形態では、ＬＤＥを、吸収性コアを支持するように構成された脊柱要素（spine element）と一体化することができる。ＬＤＥを、接着剤、粘着剤、又は任意の他の好適な手段により他の要素に接合することができる。
【００４０】
ＬＤＥを、固定システムに負荷を誘導及び／又は分配するのに好適な任意の材料から作製することができる。ＬＤＥの一部又は全部は、弾性、伸張性、又は非伸縮性であることができる。一部の実施形態では、ＣＡＭを、不織布、フィルム、エラストマー構造体などの１つ以上から形成することができる。伸縮性ＬＤＥをまた、種々の特徴を有するように構成することもできる。一部の実施形態では、伸縮性ＬＤＥは、低ひずみ力限度を有することができる。例えば、伸縮性ＬＤＥは、歪みのある水準、例えば５０％に伸張でき、５０％の歪みを超えると応力歪み曲線の勾配は、０％〜５０％の歪みの応力歪み曲線の勾配と比較して増加することができる。
【００４１】
本開示全体を通して、用語「接合した」とは、要素を直接他の要素に貼り付けることにより要素が別の要素に直接接続される構成、及び要素を中間体部材に貼り付け、そしてそれが順次他の要素に貼り付けられることにより要素が別の要素に間接的に固定される構成を指す。
【００４２】
図１Ａ〜図１７の実施形態には、使い捨て着用可能吸収性物品に使用される種々の固定システムを説明する。これらの固定システムを、本明細書に説明したように、種々の方法で１つ以上のＣＡＭ、ＬＤＥ、固定バンド、ファスナー及び／又はその他の固定システム要素により構成することができる。これらの固定システムのそれぞれを、吸収性コアを着用者に固定するため使い捨て着用可能吸収性物品に構成することができる。様々な実施形態では、これらの固定システムのそれぞれを、外側カバーを吸収性コアから実質的に力の分離をするため使い捨て着用可能吸収性物品に構成することができる。様々な実施形態では、これらの固定システムのそれぞれを、吸収性コアからの全ての負荷を実質的に保持するため使い捨て着用可能吸収性物品に構成することができる。様々な実施形態では、これらの固定システムのそれぞれを、吸収性コアを着用者に測地線的に固定するため使い捨て着用可能吸収性物品に構成することができる。様々な実施形態では、使い捨て着用可能吸収性物品を、吸収性コアからの負荷がそれが外側カバーに張力をもたらす前に固定システムに張力をもたらすように、これらの固定システムのそれぞれを用いて構成することができる。様々な実施形態では、使い捨て着用可能吸収性物品を、吸収性コアが第１点で外側カバーに接合され、第２点で固定システムに接合されるようにこれらの固定システムのそれぞれを用いて構成することができ、更に該物品を、吸収性コアを介した第１点から第２点までの経路が外側カバーを介した第１点から第２点までの経路より短くなるように構成することができる。様々な実施形態では、使い捨て着用可能吸収性物品を、吸収性コアからの負荷が外側カバーよりも固定システムにより大きい張力をもたらすように、これらの固定システムのそれぞれを用いて構成することができる。
【００４３】
図１Ａは、本開示による着用者１００が着用した固定システム１２０及び吸収性コア１９０を有する使い捨て着用可能吸収性物品１１０の実施形態の斜視図を示す。着用者１００は、腹部１０２、背部１０３、尻部１０５、及び上部脚部１０９を含む。固定システム１２０は、本明細書に説明したように、吸収性コア１９０を着用者１００に固定するように構成することができる。
【００４４】
使い捨て着用可能吸収性物品１１０は、前側１０４及び後側１０６を含む。前側１０４は、使い捨て着用可能吸収性物品１１０が着用者１００によって着用されるときに、一般に着用者１００の腹部１０２に近接して及び／又はその下に設けられている使い捨て着用可能吸収性物品１１０の一部である。「前側」の一般的な参照は、前側１０４、前側１０４の要素の一部又は全部、及び／又は前側１０４の配置を意味することができる。後側１０６は、使い捨て着用可能吸収性物品１１０が着用者１００によって着用されるときに、一般に着用者１００の背部１０３に近接して及び／又はその下に設けられている使い捨て着用可能吸収性物品１１０の一部である。「後側」の一般的な参照は、後側１０６、後側１０６の要素の一部又は全部、及び／又は後側１０６の配置を意味することができる。使い捨て着用可能吸収性物品１１０の横方向中心線は、図１Ｅの実施形態に関連して説明されるように、前側１０４と後側１０６との間に境界を形成する。上記した前側及び後側の技術用語は、特に指示がない限り、本開示全体を通して使い捨て着用可能吸収性物品に使用される。様々な実施形態では、使い捨て着用可能吸収性物品１１０は、図１Ｅの実施形態に関連して説明されるようなパンツ型使い捨て着用可能吸収性物品、又は図１Ｆの実施形態に関連して説明されるような締結可能使い捨て着用可能吸収性物品であることができる。
【００４５】
図１Ｂは、本開示による着用者１００が着用した図１Ａの実施形態の固定システム１２０及び吸収性コア１９０の斜視図を示す。着用者１００は、腹部１０２、背部１０３、尻部１０５、及び上部脚部１０９を含む。吸収性コア１９０は、前側１０４に設けられている前側部分１９４、股領域１９５、及び後側１０６に設けられている後側部分１９６を含む。固定システム１２０は、前側部分１９４に接合された第１末端部１３１、後側１０６と交わるようにして設けられている第１中間部固定バンド１３５、及び前側部分１９４に接合された第２末端部１３９を有する第１ＣＡＭ  １３０を含む。本開示全体を通して、特に指示がない限り、用語「中間」とは、要素末端部間での要素の任意の部分を指す。第１ＣＡＭ  １３０は、第２側部要素に接合された第１末端部固定バンド１３２、第１中間固定バンド１３５に接合された第２側部要素、第１側部要素１２０−１に接合された第１中間部固定バンド１３５、第２末端部固定バンド１３８に接合された第１側部要素１２０−１を含む。第１末端部固定バンド１３２の第１末端部１３１は、第１位置１９１で前側部分１９４に直接接続される。第１中間部固定バンド１３５は、第１側部末端部１３６を含み、それは第１側部位置１２６−１で第１側部要素１２０−１に直接接続される。第２末端部固定バンド１３８は、第１側部末端部１３７を含み、それは第１側部位置１２７−１で第１側部要素１２０−１に直接接続される。第２末端部固定バンド１３８はまた、第２末端部１３９も含み、それは第２位置１９２で前側部分１９４に直接接続される。図１Ｂの実施形態では、第２位置１９２は、第１位置１９１から離れて横方向に隔置される。
【００４６】
固定システム１２０はまた、後側部分１９６に接合された第３末端部１４１、前側１０４と交わるようにして設けられている第２中間部固定バンド１４５、及び後側部分１９６に接合された第４末端部を有する第２ＣＡＭ  １４０も含む。第２ＣＡＭ  １４０は、第１側部要素１２０−１に接合された第３末端部固定バンド１４２、第２中間部固定バンド１４５に接合された第１側部要素１２０−１、第２側部要素に接合された第２中間固定バンド１４５、第４末端部固定バンドに接合された第２側部要素を含む。第３末端部固定バンド１４２は、第３末端部１４１を含み、それは第３位置１９８で後側部分１９６に直接接続される。第３末端部固定バンド１４２はまた、第１側部末端部１４３も含み、それは第１側部位置１２３−１で第１側部要素１２０−１に直接接続される。第２中間部固定バンド１４５は、第１側部末端部１４４を含み、それは第１側部位置１２４−１で第１側部要素１２０−１に直接接続される。
【００４７】
図１Ｃは、本開示による着用者１００が着用した図１Ａの実施形態の固定システム１２０及び吸収性コア１９０の正面図を示す。着用者１００は、腹部１０２、尻部１０５、及び上部脚部１０９を含む。吸収性コア１９０は、前側部分１９４及び股領域１９５を含む。固定システム１２０は、第１ＣＡＭ  １３０を含む。第１ＣＡＭ  １３０は、第２側部要素１２０−２に接合された第１末端部固定バンド１３２、第１中間部固定バンド１３５に接合された第２側部要素１２０−２、第１側部要素１２０−１に接合された第１中間固定バンド１３５、第２末端部固定バンド１３８に接合された第１側部要素１２０−１を含む。第１末端部固定バンド１３２は、第１位置１９１で前側部分１９４に直接接続される第１末端部１３１及び第２側部位置１２３−２で第２側部要素１２０−２に直接接続される第２側部末端部１３３を含む。第１中間部固定バンド１３５は、第２側部位置１２４−２で第２側部１２０−２に直接接続される第２側部末端部１３４及び第１側部位置１２６−１で第１側部要素１２０−１に直接接続される第１側部末端部１３６を含む。第２末端部固定バンド１３８は、第１側部位置１２７−１で第１側部要素１２０−１に直接接続される第１側部末端部１３７及び第２位置１９２で前側部分１９４に直接接続される第２末端部１３９を含む。図１Ｃの実施形態では、第２位置１９２は、第１位置１９１から離れて横方向に隔置される。
【００４８】
固定システム１２０はまた、第２ＣＡＭ  １４０も含む。第２ＣＡＭ  １４０は、第１側部要素１２０−１に接合された第３末端部固定バンド１４２、第２中間部固定バンド１４５に接合された第１側部要素１２０−１、第２側部要素１２０−２に接合された第２中間固定バンド１４５、第４末端部固定バンド１４８に接合された第２側部要素１２０−２を含む。第３末端部固定バンド１４２は、第１側部末端部１４３を含み、それは第１側部位置１２３−１で第１側部要素１２０−１に直接接続される。第２中間部固定バンド１４５は、第１側部位置１２４−１で第１側部要素１２０−１に直接接続される第１側部末端部１４４及び第２側部位置１２６−２で第２側部要素１２０−２に直接接続される第２側部末端部１４６を含む。第４末端部固定バンド１４８は、第２側部末端部１４７を含み、それは第２側部位置１２７−２で第２側部要素１２０−２に直接接続される。
【００４９】
図１Ｄは、本開示による着用者１００が着用した図１Ａの実施形態の固定システム１２０及び吸収性コア１９０の背面図を示す。着用者１００は、背部１０３、尻部１０５、及び上部脚部１０９を含む。吸収性コア１９０は、股領域１９５及び後側部分１９６を含む。固定システム１２０は、第１ＣＡＭ  １３０及び第２ＣＡＭ  １４０を含む。第１ＣＡＭ  １３０は、第１中間部固定バンド１３５に接合された第２側部要素１２０−２、第１側部要素１２０−１に接合された第１中間固定バンド１３５を含む。第２ＣＡＭ  １４０は、第１側部要素１２０−１に接合された第３末端部固定バンド１４２及び第４末端部固定バンド１４８に接合された第２側部要素１２０−２を含む。第３末端部固定バンド１４２は、第３末端部１４１を含み、それは第３位置１９８で後側部分１９６に直接接続される。第４末端部固定バンド１４８は、第４末端部１４９を含み、それは第４位置１９９で後側部分１９６に直接接続される。図１Ｄの実施形態では、第４位置１９９は、第３位置１９８から離れて横方向に隔置される。
【００５０】
図１Ｅは、本開示によるパンツ型使い捨て着用可能吸収性物品１１０−Ｐとして図１Ａの実施形態の使い捨て着用可能吸収性物品１１０の平面図を示す。パンツ型使い捨て着用可能吸収性物品１１０−Ｐは、第１前側境界１０４−１と第２前側境界１０４−２とを有する前側１０４、及び第１後側境界１０６−１と第２後側境界１０６−２とを有する後側１０６を含む。第１前側境界１０４−１と第１後側境界１０６−１とを接合し、前側１０４と後側１０６との間に第１側部境界を形成することができる。第２前側境界１０４−２と第２後側境界１０６−２もまた接合し、前側１０４と後側１０６との間に第２側部境界を形成することができる。従って、第１及び第２側部境界は、前側１０４と後側１０６との間の第１ＣＡＭ  １３０及び／又は第２ＣＡＭ  １４０に対してそれぞれ張力を保持することができる。
【００５１】
パンツ型使い捨て着用可能吸収性物品１１０−Ｐはまた、シャーシ１１１、脚部バンド１１２、ウエストバンド１１３−Ｆの前側部分とウエストバンド１１３−Ｂの後側部分とを有するウエストバンド、長手方向中心線１１４、及び、横方向中心線１１５も含む。横方向中心線１１５は、パンツ型使い捨て着用可能吸収性物品１１０−Ｐの前側１０４と後側１０６との間に境界を形成する。長手方向中心線１１４及び横方向中心線１１５はまた、パンツ型使い捨て着用可能吸収性物品１１０−Ｐの部分の相対的な位置を参照するため参照の線も提供する。第１部分が第２部分よりも長手方向中心線１１４に近接するとき、第１部分は、第２部分に対して横方向内側にあると考えることができる。同様に、第２部分は、第１部分から横方向外側にあると考えることができる。第３部分が第４部分よりも横方向中心線１１５に近接するとき、第３部分は、第４部分に対して長手方向内側にあると考えることができる。同様に、第４部分は、第３部分から長手方向外側にあると考えることができる。この横方向及び長手方向の技術用語は、特に指示がない限り、本開示全体を通して使い捨て着用可能吸収性物品に使用される。
【００５２】
パンツ型使い捨て着用可能吸収性物品１１０−Ｐは、前側１０４に設けられている前側部分１９４、一般に横方向中心線１１５の周りに設けられている股領域１９５、及び後側１０６に設けられている後側部分１９６を有する吸収性コア１９０を含む。固定システム１２０は、吸収性コア１９０に接合される。
【００５３】
固定システム１２０は、第１ＣＡＭ  １３０及び第２ＣＡＭ  １４０を含む。第１ＣＡＭ  １３０は、第２側部要素１２０−２に接合された第１末端部固定バンド１３２、第２側部境界を介して第１中間部固定バンド１３５に接合された第２側部要素１２０−２、第１側部要素１２０−１に接合された第１中間固定バンド１３５、第１側部境界を介して第２末端部固定バンド１３８に接合された第１側部要素１２０−１を含む。第１ＣＡＭ  １３０は、第１位置１９１及び第２位置１９２で前側部分１９４に直接接続される。第２ＣＡＭ  １４０は、第１側部要素１２０−１に接合された第３末端部固定バンド１４２、第１側部境界を介して第２中間部固定バンド１４５に接合された第１側部要素１２０−１、第２側部要素１２０−２に接合された第２中間固定バンド１４５、第２側部境界を介して第４末端部固定バンド１４８に接合された第２側部要素１２０−２を含む。第２ＣＡＭ  １４０は、第３位置１９８及び第４位置１９９で後側部分１９６に直接接続される。
【００５４】
図１Ｅの実施形態では、第１ＣＡＭ  １３０及び第２ＣＡＭ  １４０はそれぞれ、第１前側境界１０４−１と第１後側境界１０６−１とにより分割される第１側部要素１２０−１、及び第２前側境界１０４−２と第２後側境界１０６−２とにより分割される第２側部要素１２０−２を含む。しかし、様々な実施形態では、固定システムを、いくつかの方法でパンツ型使い捨て着用可能吸収性物品に含むことができる。例えば、パンツ型使い捨て着用可能吸収性物品は、図１Ｅの実施形態の側部境界よりも更に横方向内側及び／又は外側に設けられている側部境界により分割される１つ以上の固定システム要素を含むことができる。また、例として、パンツ型使い捨て着用可能吸収性物品は、境界が接合されるときに側部境界を越え、及び対応する前側及び／又は後側内に伸張するように構成された１つ以上の固定システム要素を含むことができる。追加の例として、１つ以上の固定システム要素を、サイドパネルに構成することができ、それを、パンツ型使い捨て着用可能吸収性物品のそれぞれの側の前側及び後側に接合することができる。更なる例として、１つ以上の固定システム要素を、側部境界が接合された後パンツ型使い捨て着用可能吸収性物品に加えることができ、その結果これらの固定システム要素は、側部境界により分割される必要がなくなる。
【００５５】
図１Ｆは、本開示による締結可能使い捨て着用可能吸収性物品１１０−Ｆとしての図１Ａの実施形態の使い捨て着用可能吸収性物品の平面図を示す。締結可能使い捨て着用可能吸収性物品１１０−Ｆは、第１側部耳部１０７−１と第２側部耳部１０７−２を有する前側１０４及び後側１０６を含む。第１側部耳部１０７−１及び第２側部耳部１０７−２を、それぞれ前側１０４に固定することができ、締結可能使い捨て着用可能吸収性物品１１０−Ｆを締結する。従って、締結時、第１及び第２側部耳部１０７−１及び１０７−２は、それぞれ前側１０４と後側１０６との間の第１ＣＡＭ  １３０及び／又は第２ＣＡＭ  １４０に対して張力を保持することができる。そのような側部耳部を、当業者により理解されるように、そのような張力を適切に保持する位置で前側に固定するように構成することができる。図１Ｆの実施形態では、張力を第１側部耳部１０７−１から第２末端部固定バンド１３８に適切に保持するため、第１側部耳部１０７−１を、第２末端部固定バンド１３８が第１側部要素１２０−１に接合された点から横方向外側である位置で前側１０４に固定するように構成することができる。同様に、張力を第２側部耳部１０７−２から第１末端部固定バンド１３２に適切に保持するため、第２側部耳部１０７−２を、第１末端部固定バンド１３２が第２側部要素１２０−２に接合された点から横方向外側である位置で前側１０４に固定するように構成することができる。様々な実施形態では、固定システムを有する締結可能使い捨て着用可能吸収性物品を、当業者により理解されるようにいくつかの方法で締結することができる。代替の実施形態では、当業者により理解されるように使い捨て着用可能吸収性物品の着用者の体に対する垂直の抵抗力の使用を介して、張力下で要素を重ねるように構成することにより前側と後側との間のＣＡＭに張力を保持するように、側部耳部を構成することができる。
【００５６】
締結可能使い捨て着用可能吸収性物品１１０−Ｆはまた、シャーシ１１１、脚部バンド１１２、ウエストバンド１１３−Ｆの前側部分とウエストバンド１１３−Ｂの後側部分とを有するウエストバンド、長手方向中心線１１４、及び、横方向中心線１１５も含む。横方向中心線１１５は、締結可能使い捨て着用可能吸収性物品１１０−Ｆの前側１０４と後側１０６との間に境界を形成する。締結可能使い捨て着用可能吸収性物品１１０−Ｆは、前側１０４に設けられている前側部分１９４、一般に横方向中心線１１５の周りに設けられている股領域１９５、及び後側１０６に設けられている後側部分１９６を有する吸収性コア１９０を含む。固定システム１２０は、吸収性コア１９０に接合される。
【００５７】
固定システム１２０は、第１ＣＡＭ  １３０及び第２ＣＡＭ  １４０を含む。図１Ｆの実施形態では、第１ＣＡＭ  １３０及び第２ＣＡＭ  １４０は、それぞれ第１側部要素１２０−１を含み、それは第１側部要素１２０−１の前側部分と第１側部要素１２０−１の後側部分とに分割される。第１ＣＡＭ  １３０及び第２ＣＡＭ  １４０はまた、それぞれ第２側部要素１２０−２も含み、それは第２側部要素１２０−２の前側部分と第２側部要素１２０−２の後側部分とに分割される。
【００５８】
第１ＣＡＭ  １３０は、第２側部要素１２０−２の前側部分に接合された第１末端部固定バンド１３２、第２側部耳部１０７−２に締結された第２側部要素１２０−２の前側部分、第２側部要素１２０−２の後側部分に接合された第２側部耳部１０７−２、第１中間固定バンド１３５に接合された第２側部要素１２０−２の後側部分、第１側部要素１２０−１の後側部分に接合された第１中間部固定バンド１３５、第１側部耳部１０７−１に接合された第１側部要素１２０−１の後側部分、第１側部要素１２０−１の前側部分に接合された第１側部耳部１０７−１、第２末端部固定バンド１３８に接合された第１側部要素１２０−１の前側部分を含む。第１ＣＡＭ  １３０は、第１位置１９１及び第２位置１９２で前側部分１９４に直接接続される。
【００５９】
第２ＣＡＭ  １４０は、第１側部要素１２０−１の後側部分に接合された第３末端部固定バンド１４２、第１側部耳部１０７−１に接合された第１側部要素１２０−１の後側部分、第１側部要素１２０−１の前側部分に締結された第１側部耳部１０７−１、第２中間固定バンド１４５に接合された第１側部要素１２０−１の前側部分、第２側部要素１２０−２の前側部分に接合された第２中間部固定バンド１４５、第２側部耳部１０７−２に接合された第２側部要素１２０−２の前側部分、第２側部要素１２０−２の後側部分に接合された第２側部耳部１０７−２、第４末端部固定バンド１４８に接合された第２側部要素１２０−２の後側部分を含む。第２ＣＡＭ  １４０は、第３位置１９８及び第４位置１９９で後側部分１９６に直接接続される。
【００６０】
図１Ｆの実施形態では、第１ＣＡＭ  １３０及び第２ＣＡＭ  １４０は、それぞれ第１側部要素１２０−１及び第２側部要素１２０−２の分割された部分の中間体として第１側部耳部１０７−１及び第２側部耳部１０７−２を含む。しかし、様々な実施形態では、当業者により理解されるように、固定システムを、いくつかの方法で締結可能使い捨て着用可能吸収性物品に含むことができる。
【００６１】
図２Ａは、人間の体２００の一部の側面図を示す。人間の体２００は、腹部２０２、背部２０３、尻部２０５、臀部２０７、及び上部脚部２０９を含む。人間の体２００の特徴は、どのようにして本開示の使い捨て着用可能吸収性物品の実施形態を着用者の体に合わせることができるかを示す。人間の体２００の特徴はまた、本開示の固定システムの実施形態を固定することができる人間の体の各種部分も示す。
【００６２】
図２Ｂは、図２Ａの実施形態の人間の体２００の一部の背面図を示す。人間の体２００は、背部２０３、尻部２０５、臀部２０７、及び上部脚部２０９を含む。
【００６３】
図３Ａは、本開示による着用者３００が着用したときの使い捨て着用可能吸収性物品に使用される固定システム３２０及び吸収性コア３９０の実施形態の斜視図を示す。着用者３００は、腹部３０２、背部３０３、尻部３０５、及び上部脚部３０９を含む。固定システム３２０は、吸収性コア３９０に接合される。固定システム３２０は、本明細書に説明したように前側及び後側を有する使い捨て着用可能吸収性物品に使用するために構成される。吸収性コア３９０は、前側に設けられている前側部分３９４、股領域３９５、及び後側に設けられている後側部分３９６を含む。固定システム３２０は、前側部分３９４に接合された第１末端部３３１、後側と交わるようにして設けられている第１中間部３３５、及び前側部分３９４に接合された第２末端部３３９を有する第１ＣＡＭ  ３３０を含む。第１末端部３３１は、第１位置３９１で前側部分３９４に直接接続され、第２末端部３３９は、第１位置３９１に少なくとも部分的に重なる第２位置３９２で前側部分３９４に直接接続される。固定システム３２０はまた、後側部分３９６に接合された第３末端部、前側と交わるようにして設けられている第２中間部３４５、及び後側部分３９６に接合された第４末端部も含む。第３末端部は、第３位置で後側部分３９６に直接接続される。第４末端部は、少なくとも部分的に第３位置に重なる第４位置で後側部分３９６に直接接続される。様々な実施形態では、別の方法として固定システム３２０は、当業者により理解されるように図４の実施形態の第２ＣＡＭ  ４４０、図５の実施形態の第２ＣＡＭ  ５４０、又は図６の実施形態の第２ＣＡＭ  ６４０と関連して説明されるような後側部分３９６で構成された第２ＣＡＭを含むことができる。
【００６４】
一部の実施形態では、固定システム３２０の第１ＣＡＭ  ３３０及び第２ＣＡＭ  ３４０を、それぞれ閉測地線として構成することができる。第１ＣＡＭ  ３３０を、それが着用者３００の体の一部の周りに巻き付き、第１位置３９１及び第２位置３９２により形成される角部でそれ自体交差するとき、閉測地線と考えることができる。第２ＣＡＭ  ３４０をまた、第１ＣＡＭ  ３３０と同様の方法でそれが着用者３００の体の一部の周りに巻き付き、後側の角部でそれ自体交差するとき、閉測地線と考えることができる。その結果、固定システム３２０を、着用者３００に対して測地線的に吸収性コア３９０を固定するように構成することができる。同様に、図１Ａ〜１Ｆ、４〜６、１３及び１４の固定システム実施形態のＣＡＭを、当業者により理解されるように閉測地線として構成することができる。
【００６５】
図３Ｂは、本開示による図３Ａの実施形態の固定システム３２０を含むパンツ型使い捨て着用可能吸収性物品３１０−Ｐの実施形態の平面図を示す。パンツ型使い捨て着用可能吸収性物品３１０−Ｐは、第１前側境界３０４−１と第２前側境界３０４−２とを有する前側３０４、及び第１後側境界３０６−１と第２後側境界３０６−２とを有する後側３０６を含む。第１前側境界３０４−１と第１後側境界３０６−１とを接合し、前側３０４と後側３０６との間に第１側部境界を形成することができる。第２前側境界３０４−２と第２後側境界３０６−２もまた接合し、前側３０４と後側３０６との間に第２側部境界を形成することができる。従って、第１及び第２側部境界は、前側３０４と後側３０６との間の第１ＣＡＭ  ３３０及び／又は第２ＣＡＭ  ３４０に対してそれぞれ張力を保持することができる。
【００６６】
パンツ型使い捨て着用可能吸収性物品３１０−Ｐはまた、シャーシ３１１、脚部バンド３１２、ウエストバンド３１３−Ｆの前側部分とウエストバンド３１３−Ｂの後側部分とを有するウエストバンド、長手方向中心線３１４、及び、横方向中心線３１５も含む。横方向中心線３１５は、パンツ型使い捨て着用可能吸収性物品３１０−Ｐの前側３０４と後側３０６との間に境界を形成する。パンツ型使い捨て着用可能吸収性物品３１０−Ｐは、前側３０４に設けられている前側部分３９４、一般に横方向中心線３１５の周りに設けられている股領域３９５、及び後側３０６に設けられている後側部分３９６を有する吸収性コア３９０を含む。固定システム３２０は、吸収性コア３９０に接合される。
【００６７】
固定システム３２０は、前側部分３９４に接合された第１末端部、後側３０６にわたって第２側部境界及び第１側部境界を介して設けられている第１中間部３３５、並びに前側部分３９４に接合された第２末端部を有する第１ＣＡＭ  ３３０を含む。第１末端部は、第１位置３９１で前側部分３９４に直接接続され、第２末端部は、第１位置３９１に少なくとも部分的に重なる第２位置３９２で前側部分３９４に直接接続される。固定システム３２０はまた、後側部分３９６に接合された第３末端部、前側３０４にわたる第１側部境界及び第２側部境界を介して設けられている第２中間部３４５、並びに後側部分３９６に接合された第４末端部を有する第２ＣＡＭ  ３４０も含む。第３末端部は第３位置３９８で後側部分３９６に直接接続され、第４末端部は少なくとも部分的に第３位置３９８に重なる第４位置３９９で後側部分３９６に直接接続される。
【００６８】
図４は、本開示による着用者４００が着用したときの使い捨て着用可能吸収性物品に使用される固定システム４２０及び吸収性コア４９０の実施形態の斜視図を示す。着用者４００は、腹部４０２、背部４０３、尻部４０５、及び上部脚部４０９を含む。固定システム４２０は、吸収性コア４９０に接合される。固定システム４２０は、本明細書に説明したように前側及び後側を有する使い捨て着用可能吸収性物品に使用するために構成される。吸収性コア４９０は、前側に設けられている前側部分４９４、股領域４９５、及び後側に設けられている後側部分４９６を含む。固定システム４２０は、前側部分４９４に接合された第１末端部４３１、後側と交わるようにして設けられている第１中間部４３５、及び前側部分４９４に接合された第２末端部４３９を有する第１ＣＡＭ  ４３０を含む。固定システム４２０はまた、前側ＬＤＥ末端部４７４及び４７６を有する前側ＬＤＥ  ４７５も含む。第１末端部４３１及び第２末端部４３９は、それぞれ前側ＬＤＥ末端部４７４で前側ＬＤＥ  ４７５に接合される。前側ＬＤＥ  ４７５の前側ＬＤＥ末端部４７６は、前側ＬＤＥ位置４９３で前側部分４９４に直接接続される。
【００６９】
固定システム４２０はまた、後側部分４９６に接合された第３末端部、前側と交わるようにして設けられている第２中間部４４５、及び後側部分４９６に接合された第４末端部を有する第２ＣＡＭ  ４４０も含む。固定システム４２０はまた、後側ＬＤＥも含む。第３末端部及び第４末端部は、それぞれ後側ＬＤＥに接合され、後側ＬＤＥは、後側部分４９６に直接接続される。固定システム４２０の様々な実施形態では、より多くの又はより少ないＬＤＥを使用することができる。様々な実施形態では、別の方法として固定システム４２０は、当業者により理解されるように図３Ａ及び３Ｂの実施形態の第２ＣＡＭ  ３４０、図５の実施形態の第２ＣＡＭ  ５４０、又は図６の実施形態の第２ＣＡＭ  ６４０と関連して説明されるような後側部分４９６で構成された第２ＣＡＭを含むことができる。
【００７０】
図５は、本開示による着用者５００が着用したときの使い捨て着用可能吸収性物品に使用される固定システム５２０及び吸収性コア５９０の実施形態の斜視図を示す。着用者５００は、腹部５０２、背部５０３、尻部５０５、及び上部脚部５０９を含む。固定システム５２０は、吸収性コア５９０に接合される。固定システム５２０は、本明細書に説明したように前側及び後側を有する使い捨て着用可能吸収性物品に使用するために構成される。吸収性コア５９０は、前側に設けられている前側部分５９４、股領域５９５、及び後側に設けられている後側部分５９６を含む。固定システム５２０は、前側部分５９４に接合された第１末端部５３１、後側と交わるようにして設けられている第１中間部５３５、及び前側部分５９４に接合された第２末端部５３９を有する第１ＣＡＭ  ５３０を含む。第１末端部５３１は、第１位置５９１で前側部分５９４に直接接続され、第２末端部５３９は、第１位置５９１から横方向に離れて隔置される第２位置５９２で前側部分５９４に直接接続される。
【００７１】
固定システム５２０はまた、後側部分５９６に接合された第３末端部５４１、前側と交わるようにして設けられている第２中間部５４５、及び後側部分５９６に接合された第４末端部を有する第２ＣＡＭ  ５４０も含む。第３末端部５４１は、第３位置５９８で後側部分５９６に直接接続される。第４末端部は、第３位置５９８から横方向に離れて隔置される第４位置で後側部分５９６に直接接続される。様々な実施形態では、別の方法として固定システム５２０は、当業者により理解されるように図３Ａ及び３Ｂの実施形態の第２ＣＡＭ  ３４０、図４の実施形態の第２ＣＡＭ  ４４０、又は図６の実施形態の第２ＣＡＭ  ６４０と関連して説明されるような後側部分５９６で構成された第２ＣＡＭを含むことができる。
【００７２】
図６は、本開示による着用者６００が着用したときの使い捨て着用可能吸収性物品に使用される固定システム６２０及び吸収性コア６９０の実施形態の斜視図を示す。着用者６００は、腹部６０２、背部６０３、尻部６０５、及び上部脚部６０９を含む。固定システム６２０は、吸収性コア６９０に接合される。固定システム６２０は、本明細書に説明したように前側及び後側を有する使い捨て着用可能吸収性物品に使用するために構成される。吸収性コア６９０は、前側に設けられている前側部分６９４、股領域５９５、及び後側に設けられている後側部分６９６を含む。固定システム６２０は、前側部分６９４に接合された第１末端部６３１、後側と交わるようにして設けられている第１中間部６３５、及び前側部分６９４に接合された第２末端部６３９を有する第１ＣＡＭ  ６３０を含む。
【００７３】
固定システム６２０は、前側固定バンド末端部６２１及び６２３を有する前側固定バンド６２２を含む。固定システム６２０はまた、第１ＬＤＥ末端部６７１及び６７３を有する第１ＬＤＥ  ６７２、並びに第２ＬＤＥ末端部６７７及び６７９を有する第２ＬＤＥ  ６７８も含む。第１末端部６３１は、前側固定バンド末端部６２１で前側固定バンド６２２に接合され、第１ＬＤＥ末端部６７１で第１ＬＤＥ  ６７２にも接合される。第２末端部６３９は、前側固定バンド末端部６２３で前側固定バンド６２２に接合され、第２ＬＤＥ末端部６７７で第２ＬＤＥ  ６７８にも接合される。第１ＬＤＥ  ６７２の第１ＬＤＥ末端部６７３は、第１ＬＤＥ位置６９１で前側部分６９４に直接接続され、第２ＬＤＥ  ６７８の第２ＬＤＥ末端部６７９は、第１ＬＤＥ位置６９１から横方向に離れて隔置される第２ＬＤＥ位置６９２で前側部分６９４に直接接続される。
【００７４】
固定システム６２０は、後側部分６９６に接合された第３末端部６４１、前側と交わるようにして設けられている第２中間部６４５、及び後側部分６９６に接合された第４末端部を有する第２ＣＡＭ  ６４０を含む。固定システム６２０は、後側固定バンド末端部６２７を有する後側固定バンド６２８を含む。固定システム６２０は、更に第３ＬＤＥ末端部６８１及び６８３を有する第３ＬＤＥ  ６８２、並びに第４ＬＤＥ末端部を有する第４ＬＤＥを含む。第３末端部６４１は、後側固定バンド末端部６２７で後側固定バンド６２８に接合され、第４ＬＤＥ末端部６８１で第４ＬＤＥ  ６８２にも接合される。第４末端部は、後側固定バンド６２８に接合され、第４ＬＤＥ末端部で第４ＬＤＥにも接合される。第３ＬＤＥ  ６８２の第３ＬＤＥ末端部６８３は、第３ＬＤＥ位置６９８で後側部分６９６に直接接続され、第４ＬＤＥの第４ＬＤＥ末端部は、第３ＬＤＥ位置から横方向に離れて隔置される第４ＬＤＥ位置で後側部分６９６に直接接続される。固定システム６２０の様々な実施形態では、より多くの又はより少ないＬＤＥを使用することができる。様々な実施形態では、別の方法として固定システム６２０は、当業者により理解されるように図３Ａ及び３Ｂの実施形態の第２ＣＡＭ  ３４０、図４の実施形態の第２ＣＡＭ  ４４０、又は図５の実施形態の第２ＣＡＭ  ５４０と関連して説明されるような後側部分６９６で構成された第２ＣＡＭを含むことができる。
【００７５】
図７Ａは、本開示による着用者７００が着用したときの使い捨て着用可能吸収性物品に使用される固定システム７２０及び吸収性コア７９０の実施形態の斜視図を示す。着用者７００は、腹部７０２、背部７０３、尻部７０５、及び上部脚部７０９を含む。固定システム７２０は、吸収性コア７９０に接合される。固定システム７２０は、本明細書に説明したように前側及び後側を有する使い捨て着用可能吸収性物品に使用するために構成される。吸収性コア７９０は、前側に設けられている前側部分７９４、股領域７９５、及び後側に設けられている後側部分７９６を含む。固定システム７２０は、前側部分７９４に接合された第１末端部７５１、第２側部と交わるようにして設けられている第１中間部、及び後側部分７９６に接合された第４末端部を有する第１ＣＡＭ  ７５０を含む。固定システム７２０はまた、前側部分７９４に接合された第２末端部７６１、第１側部と交わるようにして設けられている第２中間部７６５、及び後側部分７９６に接合された第３末端部を有する第２ＣＡＭ  ７６０も含む。
【００７６】
第１末端部７５１は、第１位置７９１で前側部分７９４に直接接続される。第２末端部７６１は、第１位置７９１に少なくとも部分的に重なる第２位置７９２で前側部分７９４に直接接続される。第３末端部は、第３位置で後側部分７９６に直接接続される。第４末端部は、第３位置に少なくとも部分的に重なる第４位置で後側部分７９６に直接接続される。様々な実施形態では、別の方法として固定システム７２０は、当業者により理解されるように図８の実施形態の第１ＣＡＭ  ８５０及び第２ＣＡＭ  ８６０、図９の実施形態の第１ＣＡＭ  ９５０及び第２ＣＡＭ  ９６０、又は図１０の実施形態の第１ＣＡＭ  １０５０及び第２ＣＡＭ  １０６０と関連して説明されるような後側部分７９６で構成された第１ＣＡＭ及び第２ＣＡＭを含むことができる。
【００７７】
図７Ｂは、本開示による図７Ａの実施形態の固定システム７２０を含むパンツ型使い捨て着用可能吸収性物品７１０−Ｐの実施形態の平面図を示す。パンツ型使い捨て着用可能吸収性物品７１０−Ｐは、第１前側境界７０４−１と第２前側境界７０４−２とを有する前側７０４、及び第１後側境界７０６−１と第２後側境界７０６−２とを有する後側７０６を含む。第１前側境界７０４−１と第１後側境界７０６−１とを接合し、前側７０４と後側７０６との間に第１側部境界を形成することができる。第２前側境界７０４−２と第２後側境界７０６−２もまた接合し、前側７０４と後側７０６との間に第２側部境界を形成することができる。従って、第１及び第２側部境界は、前側７０４と後側７０６との間の第１ＣＡＭ  ７５０及び／又は第２ＣＡＭ  ７６０に対してそれぞれ張力を保持することができる。
【００７８】
パンツ型使い捨て着用可能吸収性物品７１０−Ｐはまた、シャーシ７１１、脚部バンド７１２、ウエストバンド７１３−Ｆの前側部分とウエストバンド７１３−Ｂの後側部分とを有するウエストバンド、長手方向中心線７１４、及び、横方向中心線７１５も含む。横方向中心線７１５は、パンツ型使い捨て着用可能吸収性物品７１０−Ｐの前側７０４と後側７０６との間に境界を形成する。パンツ型使い捨て着用可能吸収性物品７１０−Ｐは、前側７０４に設けられている前側部分７９４、一般に横方向中心線７１５の周りに設けられている股領域７９５、及び後側７０６に設けられている後側部分７９６を有する吸収性コア７９０を含む。固定システム７２０は、吸収性コア７９０に接合される。
【００７９】
固定システム７２０は、前側部分７９４に接合された第１末端部、第２側部境界を介して設けられている第１中間部７５５、及び後側部分７９６に接合された第４末端部を有する第１ＣＡＭ  ７５０を含む。第１末端部は、第１位置７９１で前側部分７９４に直接接続され、第４末端部は、第４位置７９９で後側部分７９６に直接接続される。固定システム７２０はまた、前側部分７９４に接合された第２末端部、第１側部境界を介して設けられている第２中間部７６５、及び後側部分７９６に接合された第３末端部を有する第２ＣＡＭ  ７６０も含む。第２末端部は、第２位置７９２で前側部分７９４に直接接続され、第３末端部は、第３位置７９９で後側部分７９６に直接接続される。第１位置７９１は、第２位置７９２に少なくとも部分的に重なり、第３位置７９８は、第４位置７９９に少なくとも部分的に重なる。
【００８０】
一部の実施形態では、固定システム７２０の第１ＣＡＭ  ７５０及び第２ＣＡＭ  ７６０を、それぞれ開測地線として構成することができる。第１ＣＡＭ  ７５０を、それが着用者７００の体の一部の周りに巻き付くとき、２つの終端点を有しそれ自体と交差しないので開測地線と考えることができる。第２ＣＡＭ  ７６０もまた、それが着用者７００の体の一部の周りに巻き付くとき、２つの終端点も有しそれ自体と交差しないので開測地線と考えることができる。その結果、固定システム７２０を、吸収性コア７９０を着用者７００に測地線的に固定するように構成することができる。同様に、図８〜１２の固定システム実施形態のＣＡＭを、当業者により理解されるように開測地線として構成することもできる。
【００８１】
図８は、本開示による着用者８００が着用したときの使い捨て着用可能吸収性物品に使用される固定システム８２０及び吸収性コア８９０の実施形態の斜視図を示す。着用者８００は、腹部８０２、背部８０３、尻部８０５、及び上部脚部８０９を含む。固定システム８２０は、吸収性コア８９０に接合される。固定システム８２０は、本明細書に説明したように前側及び後側を有する使い捨て着用可能吸収性物品に使用するために構成される。吸収性コア８９０は、前側に設けられている前側部分８９４、股領域８９５、及び後側に設けられている後側部分８９６を含む。固定システム８２０は、前側部分８９４に接合された第１末端部８５１、第２側部と交わるようにして設けられている第１中間部、及び後側部分８９６に接合された第４末端部を有する第１ＣＡＭ  ８５０を含む。固定システム８２０はまた、前側部分８９４に接合された第２末端部８６１、第１側部と交わるようにして設けられている第２中間部８６５、及び後側部分８９６に接合された第３末端部を有する第２ＣＡＭ  ８６０も含む。
【００８２】
固定システム８２０は、前側ＬＤＥ末端部８７４及び８７６を有する前側ＬＤＥ  ８７５を含む。第１末端部８５１と第２末端部８６１とは、それぞれ前側ＬＤＥ末端部８７４で前側ＬＤＥ８７５に接合される。前側ＬＤＥ  ８７５の前側ＬＤＥ末端部８７６は、前側ＬＤＥ位置８９３で前側部分８９４に直接接続される。固定システム８２０はまた、後側ＬＤＥも含む。第３末端部と第４末端部とは、それぞれ後側ＬＤＥに接合され、後側ＬＤＥは、後側部分８９６に直接接続される。固定システム８２０の様々な実施形態では、より多くの又はより少ないＬＤＥを使用することができる。様々な実施形態では、別の方法として固定システム８２０は、当業者により理解されるように図７Ａ及び７Ｂの実施形態の第１ＣＡＭ  ７５０及び第２ＣＡＭ  ７６０、図９の実施形態の第１ＣＡＭ９５０及び第２ＣＡＭ  ９６０、又は図１０の実施形態の第１ＣＡＭ  １０５０及び第２ＣＡＭ  １０６０と関連して説明されるような後側部分８９６で構成された第１ＣＡＭ及び第２ＣＡＭを含むことができる。
【００８３】
図９は、本開示による着用者９００が着用したときの使い捨て着用可能吸収性物品に使用される固定システム９２０及び吸収性コア９９０の実施形態の斜視図である。着用者９００は、腹部９０２、背部９０３、尻部９０５、及び上部脚部９０９を含む。固定システム９２０は、吸収性コア９９０に接合される。固定システム９２０は、本明細書に説明したように前側及び後側を有する使い捨て着用可能吸収性物品に使用するために構成される。吸収性コア９９０は、前側に設けられている前側部分９９４、股領域９９５、及び後側に設けられている後側部分９９６を含む。固定システム９２０は、前側部分９９４に接合された第１末端部９５１、第２側部と交わるようにして設けられている第１中間部、及び後側部分９９６に接合された第４末端部を有する第１ＣＡＭ  ９５０を含む。固定システム９２０はまた、前側部分９９４に接合された第２末端部９６１、第１側部と交わるようにして設けられている第２中間部９６５、及び後側部分９９６に接合された第３末端部を有する第２ＣＡＭ  ９６０も含む。
【００８４】
第１末端部９５１は、第１位置９９１で前側部分９９４に直接接続される。第２末端部９６１は、第１位置９９１から離れて横方向に隔置される第２位置９９２で前側部分９９４に直接接続される。第３末端部は、第３位置で後側部分９９６に直接接続される。第４末端部は、第３位置から離れて横方向に隔置される第４位置で後側部分９９６に直接接続される。様々な実施形態では、別の方法として固定システム９２０は、当業者により理解されるように図７Ａ及び７Ｂの実施形態の第１ＣＡＭ  ７５０及び第２ＣＡＭ  ７６０、図８の実施形態の第１ＣＡＭ  ８５０及び第２ＣＡＭ  ８６０、又は図１０の実施形態の第１ＣＡＭ  １０５０及び第２ＣＡＭ  １０６０と関連して説明されるような後側部分９９６で構成された第１ＣＡＭ及び第２ＣＡＭを含むことができる。
【００８５】
図１０は、本開示による着用者１０００が着用したときの使い捨て着用可能吸収性物品に使用される固定システム１０２０及び吸収性コア１０９０の実施形態の斜視図を示す。着用者１０００は、腹部１００２、背部１００３、尻部１００５、及び上部脚部１００９を含む。固定システム１０２０は、吸収性コア１０９０に接合される。固定システム１０２０は、本明細書に説明したように前側及び後側を有する使い捨て着用可能吸収性物品に使用するために構成される。吸収性コア１０９０は、前側に設けられている前側部分１０９４、股領域１０９５、及び後側に設けられている後側部分１０９６を含む。固定システム１０２０は、前側部分１０９４に接合された第１末端部１０５１、第２側部と交わるようにして設けられている第１中間部、及び後側部分１０９６に接合された第４末端部を有する第１ＣＡＭ  １０５０を含む。固定システム１０２０はまた、前側部分１０９４に接合された第２末端部１０６１、第１側部と交わるようにして設けられている第２中間部１０６５、及び後側部分１０９６に接合された第３末端部１０６９を有する第２ＣＡＭ  １０６０も含む。
【００８６】
固定システム１０２０は、前側固定バンド末端部１０２１及び１０２３を有する前側固定バンド１０２２を含む。固定システム１０２０はまた、第１ＬＤＥ末端部１０７１及び１０７３を有する第１ＬＤＥ  １０７２、並びに第２ＬＤＥ末端部１０７７及び１０７９を有する第２ＬＤＥ  １０７８も含む。第１末端部１０５１は、前側固定バンド末端部１０２１で前側固定バンド１０２２に接合され、第１ＬＤＥ末端部１０７１で第１ＬＤＥ  １０７２にも接合される。第２末端部１０６１は、前側固定バンド末端部１０２３で前側固定バンド１０２２に接合され、第２ＬＤＥ末端部１０７７で第２ＬＤＥ  １０７８にも接合される。第１ＬＤＥ  １０７２の第１ＬＤＥ末端部１０７３は、第１ＬＤＥ位置１０９１で前側部分１０９４に直接接続され、第２ＬＤＥ  １０７８の第２ＬＤＥ末端部１０７９は、第１ＬＤＥ位置１０９１から横方向に離れて隔置される第２ＬＤＥ位置１０９２で前側部分１０９４に直接接続される。
【００８７】
固定システム１０２０は、後側固定バンド末端部１０２７を有する後側固定バンド１０２８を含む。固定システム１０２０は、更に第３ＬＤＥ末端部１０８１及び１０８３を有する第３ＬＤＥ  １０８２、並びに第４ＬＤＥ末端部を有する第４ＬＤＥを含む。第３末端部１０６９は、後側固定バンド末端部１０２７で後側固定バンド１０２８に接合され、第３ＬＤＥ末端部１０８１で第３ＬＤＥ  １０８２にも接合される。第４末端部は、後側固定バンド１０２８に接合され、第４ＬＤＥ末端部で第４ＬＤＥにも接合される。第３ＬＤＥ１０８２の第３ＬＤＥ末端部１０８３は、第３ＬＤＥ位置１０９８で後側部分１０９６に直接接続され、第４ＬＤＥの第４ＬＤＥ末端部は、第３ＬＤＥ位置１０９８から横方向に離れて隔置される第４ＬＤＥ位置で後側部分１０９６に直接接続される。固定システム１０２０の様々な実施形態では、より多くの又はより少ないＬＤＥを使用することができる。様々な実施形態では、別の方法として固定システム１０２０は、当業者により理解されるように図７Ａ及び７Ｂの実施形態の第１ＣＡＭ  ７５０及び第２ＣＡＭ  ７６０、図８の実施形態の第１ＣＡＭ  ８５０及び第２ＣＡＭ  ８６０、又は図９の実施形態の第１ＣＡＭ  ９５０及び第２ＣＡＭ  ９６０と関連して説明されるような後側部分１０９６で構成された第１ＣＡＭと第２ＣＡＭを含むことができる。
【００８８】
図１１Ａは、本開示による着用者１１００が着用したときの使い捨て着用可能吸収性物品に使用される固定システム１１２０及び吸収性コア１１９０の実施形態の斜視図を示す。着用者１１００は、腹部１１０２、背部１１０３、尻部１１０５、及び上部脚部１１０９を含む。固定システム１０２０は、吸収性コア１０９０に接合される。固定システム１１２０は、本明細書に説明したように前側及び後側を有する使い捨て着用可能吸収性物品に使用するために構成される。吸収性コア１１９０は、前側に設けられている前側部分１１９４、股領域１１９５、及び後側に設けられている後側部分１１９６を含む。固定システム１１２０は、前側部分１１９４に接合された第１末端部１１５１、第２側部と交わるようにして設けられている第１中間部、及び後側部分１１９６に接合された第４末端部を有する第１ＣＡＭ  １１５０を含む。固定システム１１２０はまた、前側部分１１９４に接合された第２末端部１１６１、第１側部と交わるようにして設けられている第２中間部１１６５、及び後側部分１１９６に接合された第３末端部を有する第２ＣＡＭ  １１６０も含む。第１末端部１１５１は、第１位置１１９１で前側部分１１９４に直接接続される。第２末端部１１６１は、第１位置１１９１に少なくとも部分的に重なる第２位置１１９２で前側部分１１９４に直接接続される。固定システム１１２０はまた、前側と後側にわたって連続的に設けられている連続安定バンド１１２５も含む。第１中間部は、第２側部の連続安定バンド１１２５に直接接続され、第２中間部１１６５は、第１安定バンド接続位置１１２５−Ｃ１で第１側部の連続安定バンド１１２５に直接接続される。
【００８９】
図１１Ｂは、本開示による図１１Ａの実施形態の固定システム１１２０を含むパンツ型使い捨て着用可能吸収性物品１１１０−Ｐの実施形態の平面図を示す。パンツ型使い捨て着用可能吸収性物品１１１０−Ｐは、第１前側境界１１０４−１及び第２前側境界１１０４−２を有する前側１１０４、並びに第１後側境界１１０６−１及び第２後側境界１１０６−２を有する後側１１０６を含む。第１前側境界１１０４−１と第１後側境界１１０６−１とを接合し、前側１１０４と後側１１０６との間に第１側部境界を形成することができる。第２前側境界１１０４−２と第２後側境界１１０６−２もまた接合し、前側１１０４と後側１１０６との間に第２側部境界を形成することができる。従って、第１及び第２側部境界は、前側１１０４と後側１１０６との間の第１ＣＡＭ  １１５０及び／又は第２ＣＡＭ  １１６０に対してそれぞれ張力を保持することができる。
【００９０】
パンツ型使い捨て着用可能吸収性物品１１１０−Ｐはまた、シャーシ１１１１、脚部バンド１１１２、ウエストバンド１１１３−Ｆの前側部分とウエストバンド１１１３−Ｂの後側部分とを有するウエストバンド、長手方向中心線１１１４、及び、横方向中心線１１１５も含む。横方向中心線１１１５は、パンツ型使い捨て着用可能吸収性物品１１１０−Ｐの前側１１０４と後側１１０６との間に境界を形成する。パンツ型使い捨て着用可能吸収性物品１１１０−Ｐは、前側１１０４に設けられている前側部分１１９４、一般に横方向中心線１１１５の周りに設けられている股領域１１９５、及び後側１１０６に設けられている後側部分１１９６を有する吸収性コア１１９０を含む。固定システム１１２０は、吸収性コア１１９０に接合される。
【００９１】
固定システム１１２０は、前側部分１１９４に接合された第１末端部、第２側部境界を介して設けられている第１中間部１１５５、及び後側部分１１９６に接合された第４末端部を有する第１ＣＡＭ  １１５０を含む。第１末端部は、第１位置１１９１で前側部分１１９４に直接接続され、第４末端部は、第４位置１１９９で後側部分１１９６に直接接続される。固定システム１１２０はまた、前側部分１１９４に接合された第２末端部、第１側部境界を介して設けられている第２中間部１１６５、及び後側部分１１９６に接合された第３末端部を有する第２ＣＡＭ  １１６０も含む。第２末端部は、第２位置１１９２で前側部分１１９４に直接接続され、第３末端部は、第３位置１１９９で後側部分１１９６に直接接続される。第１位置１１９１は、第２位置１１９２に少なくとも部分的に重なり、第３位置１１９８は、第４位置１１９９に少なくとも部分的に重なる。固定システム１１２０はまた、前側１１０４及び後側１１０６にわたって連続的に設けられている連続安定バンド１１２５も含む。第１中間部１１５５は、第２安定バンド接続位置１１２５−Ｃ１で第２側部の連続安定バンド１１２５に直接接続される。第２中間部１１６５は、第１安定バンド接続位置１１２５−Ｃ１で第１側部の連続安定バンド１１２５に直接接続される。
【００９２】
図１２は、本開示による着用者１２００が着用したときの使い捨て着用可能吸収性物品に使用される固定システム１２２０及び吸収性コア１２９０の実施形態の斜視図を示す。着用者１２００は、腹部１２０２、背部１２０３、尻部１２０５、及び上部脚部１２０９を含む。固定システム１２２０は、吸収性コア１２９０に接合される。固定システム１２２０は、本明細書に説明したように前側及び後側を有する使い捨て着用可能吸収性物品に使用するために構成される。吸収性コア１２９０は、前側に設けられている前側部分１２９４、股領域１２９５、及び後側に設けられている後側部分１２９６を含む。固定システム１２２０は、前側部分１２９４に接合された第１末端部１２５１、第２側部と交わるようにして設けられている第１中間部、及び後側部分１２９６に接合された第４末端部を有する第１ＣＡＭ  １２５０を含む。固定システム１２２０はまた、前側部分１２９４に接合された第２末端部１２６１、第１側部と交わるようにして設けられている第２中間部１２６５、及び後側部分１２９６に接合された第３末端部を有する第２ＣＡＭ  １２６０も含む。第１末端部１２５１は、第１位置１２９１で前側部分１２９４に直接接続される。第２末端部１２６１は、第１位置１２９１に少なくとも部分的に重なる第２位置１２９２で前側部分１２９４に直接接続される。固定システム１２２０はまた、前側安定バンド１２２４及び後側安定バンド１２２６も含む。前側安定バンド１２２４は、第１ＣＡＭ  １２５０に直接接続され、前側安定バンド接続位置１１２４−Ｃで第２ＣＡＭに直接接続され、少なくとも部分的に前側に設けられている。後側安定バンド１２２６は、第１ＣＡＭ  １２５０に直接接続され、後側安定バンド接続位置１１２６−Ｃで第２ＣＡＭに直接接続され、少なくとも部分的に後側に設けられている。
【００９３】
図１３は、本開示による着用者１３００が着用したときの使い捨て着用可能吸収性物品に使用される固定システム１３２０及び吸収性コア１３９０の実施形態の斜視図を示す。着用者１３００は、腹部１３０２、背部１３０３、尻部１３０５、及び上部脚部１３０９を含む。固定システム１３２０は、吸収性コア１３９０に接合される。固定システム１３２０は、本明細書に説明したように前側及び後側を有する使い捨て着用可能吸収性物品に使用するために構成される。吸収性コア１３９０は、前側に設けられている前側部分１３９４、股領域１３９５、及び後側に設けられている後側部分１３９６を含む。固定システム１３２０は、前側部分１３９４に接合された第１末端部１３３１、後側と交わるようにして設けられている第１中間部１３３５、及び前側部分１３９４に接合された第２末端部１３３９を有する第１ＣＡＭ  １３３０を含む。第１末端部１３３１は、第１位置１３９１で前側部分１３９４に直接接続され、第２末端部１３３９は、第１位置１３９１に少なくとも部分的に重なる第２位置１３９２で前側部分１３９４に直接接続される。固定システム１３２０は、第３ＬＤＥ末端部１３８１及び１３８３を有する第３ＬＤＥ  １３８２、並びに第４ＬＤＥ末端部を有する第４ＬＤＥを含む。第３ＬＤＥ  １３８２の第３ＬＤＥ末端部１３８１は、第１中間部１３３５に直接接続され、第３ＬＤＥ末端部１３８３は、第３ＬＤＥ位置１３９８で後側部分１３９６に直接接続される。第４ＬＤＥの第４ＬＤＥ末端部は、第１中間部１３３５に直接接続され、第４ＬＤＥの第４ＬＤＥ末端部は、第４ＬＤＥ位置で後側部分１３９６に直接接続される。固定システム１３２０の様々な実施形態では、より多くの又はより少ないＬＤＥを使用することができる。
【００９４】
図１４は、本開示による着用者１４００が着用したときの使い捨て着用可能吸収性物品に使用される固定システム１４２０及び吸収性コア１４９０の実施形態の斜視図を示す。着用者１４００は、腹部１４０２、背部１４０３、尻部１４０５、及び上部脚部１４０９を含む。固定システム１４２０は、吸収性コア１４９０に接合される。固定システム１４２０は、本明細書に説明したように前側及び後側を有する使い捨て着用可能吸収性物品に使用するために構成される。吸収性コア１４９０は、前側に設けられている前側部分１４９４、股領域１４９５、及び後側に設けられている後側部分１４９６を含む。固定システム１４２０は、前側部分１４９４に接合された第１末端部１４３１、後側と交わるようにして設けられている第１中間部１４３５、及び前側部分１４９６に接合された第２末端部１４３９を有する第１ＣＡＭ  １４３０を含む。第１末端部１４３１は、第１位置１４９１で前側部分１４９４に直接接続され、第２末端部１４３９は、第１位置１４９１から離れて横方向に隔置される第２位置１４９２で前側部分１４９４に直接接続される。固定システム１４２０は、第３ＬＤＥ末端部１４８１及び１４８３を有する第３ＬＤＥ  １４８２、並びに第４ＬＤＥ末端部を有する第４ＬＤＥを含む。第３ＬＤＥ  １４８２の第３ＬＤＥ末端部１４８１は、第１中間部１４３５に直接接続され、第３ＬＤＥ末端部１４８３は、第３ＬＤＥ位置１４９８で後側部分１４９６に直接接続される。第４ＬＤＥの第４ＬＤＥ末端部は、第１中間部１４３５に直接接続され、第４ＬＤＥの第４ＬＤＥ末端部は、第４ＬＤＥ位置で後側部分１４９６に直接接続される。固定システム１４２０の様々な実施形態では、より多くの又はより少ないＬＤＥを使用することができる。
【００９５】
図１５Ａは、本開示による着用者１５００が着用したときの使い捨て着用可能吸収性物品に使用される固定システム１５２０及び吸収性コア１５９０の実施形態の斜視図を示す。着用者１５００は、腹部１５０２、背部１５０３、尻部１５０５、及び上部脚部１５０９を含む。固定システム１５２０は、吸収性コア１５９０に接合される。固定システム１５２０は、本明細書に説明したように前側及び後側を有する使い捨て着用可能吸収性物品に使用するために構成される。吸収性コア１５９０は、前側に設けられている前側部分１５９４、股領域１５９５、及び後側に設けられている後側部分１５９６を含む。固定システム１５２０は、前側部分１５９４と後側部分１５９６に接合された連続ＣＡＭ  １５３０を含む。連続ＣＡＭ  １５３０は、前側と交わるようにして設けられている連続ＣＡＭ  １５３０−Ｆの前側部分及び後側と交わるようにして設けられている連続ＣＡＭ  １５３０−Ｂの後側部分を含む。連続ＣＡＭ  １５３０−Ｆの前側部分は、第１位置１５９１と第２位置１５９２で前側部分１５９４に直接接続される。連続ＣＡＭ１５３０−Ｂの後側部分は、第３位置１５９８と第４位置で後側部分１５９６に直接接続される。固定システム１５２０を、少なくとも１つの方向に伸張するように構成された外側カバーを有する使い捨て着用可能吸収性物品に含むことができ、固定システム１５２０を、外側カバーに接合することができる。連続ＣＡＭ  １５３０−Ｆの前側部分は、固定システム１５２０が使用され得る使い捨て着用可能吸収性物品の横方向中心線と実質的に平行である。連続ＣＡＭ  １５３０−Ｂの後側部分もまた、横方向中心線と実質的に平行である。
【００９６】
図１５Ｂは、本開示による図１５Ａの実施形態の固定システム１５２０を含むパンツ型使い捨て着用可能吸収性物品１５１０−Ｐの実施形態の平面図を示す。パンツ型使い捨て着用可能吸収性物品１５１０−Ｐは、第１前側境界１５０４−１及び第２前側境界１５０４−２を有する前側１５０４、並びに第１後側境界１５０６−１及び第２後側境界１５０６−２を有する後側１５０６を含む。第１前側境界１５０４−１と第１後側境界１５０６−１とを接合し、前側１５０４と後側１５０６との間に第１側部境界を形成することができる。第２前側境界１５０４−２及び第２後側境界１５０６−２もまた接合し、前側１５０４と後側１５０６との間に第２側部境界を形成することができる。従って、第１及び第２側部境界は、前側１５０４と後側１５０６との間の第１ＣＡＭ  １５５０及び／又は第２ＣＡＭ  １５６０に対してそれぞれ張力を保持することができる。
【００９７】
パンツ型使い捨て着用可能吸収性物品１５１０−Ｐは、少なくとも１つの方向に伸張するように構成された外側カバーを有するシャーシ１５１１、脚部バンド１５１２、ウエストバンド１５１３−Ｆの前側部分とウエストバンド１５１３−Ｂの後側部分とを有するウエストバンド、長手方向中心線１５１４、及び、横方向中心線１５１５も含む。横方向中心線１５１５は、パンツ型使い捨て着用可能吸収性物品１５１０−Ｐの前側１５０４と後側１５０６との間に境界を形成する。パンツ型使い捨て着用可能吸収性物品１５１０−Ｐは、前側１５０４に設けられている前側部分１５９４、一般に横方向中心線１５１５の周りに設けられている股領域１５９５、及び後側１５０６に設けられている後側部分１５９６を有する吸収性コア１５９０を含む。固定システム１５２０は、吸収性コア１５９０に接合される。
【００９８】
固定システム１５２０は、前側部分１５９４と後側部分１５９６に接合された連続ＣＡＭ  １５３０を含む。連続ＣＡＭ  １５３０は、前側１５０４と交わるようにして設けられている連続ＣＡＭ  １５３０−Ｆの前側部分及び後側１５０６と交わるようにして設けられている連続ＣＡＭ  １５３０−Ｂの後側部分を含む。連続ＣＡＭ  １５３０−Ｆの前側部分は、第１位置１５９１及び第２位置１５９２で吸収性コア１５９０の前側部分１５９４に直接接続される。連続ＣＡＭ  １５３０−Ｂの後側部分は、第３位置１５９８及び第４位置１５９９で吸収性コア１５９０の後側部分１５９６に接合される。
【００９９】
様々な実施形態では、別の方法として固定システム１５２０は、当業者により理解されるように図１６Ａ及び１６Ｂの実施形態の連続ＣＡＭ  １６３０−Ｆの前側部分又は図１７の実施形態の連続ＣＡＭ  １７３０−Ｆの前側部分と関連して説明されるように構成された連続ＣＡＭの第１部分を含むことができる。また、様々な実施形態では、別の方法として固定システム１５２０は、当業者により理解されるように図１６Ａ及び１６Ｂの実施形態の連続ＣＡＭ  １６３０−Ｂの後側部分又は図１７の実施形態の連続ＣＡＭ  １７３０−Ｂの後側部分と関連して説明されるように構成された連続ＣＡＭの後側部分を含むことができる。
【０１００】
図１６Ａは、本開示による着用者１６００が着用したときの使い捨て着用可能吸収性物品に使用される固定システム１６２０及び吸収性コア１６９０の実施形態の斜視図を示す。着用者１６００は、腹部１６０２、背部１６０３、尻部１６０５、及び上部脚部１６０９を含む。固定システム１６２０は、吸収性コア１６９０に接合される。固定システム１６２０は、本明細書に説明したように前側及び後側を有する使い捨て着用可能吸収性物品に使用するために構成される。吸収性コア１６９０は、前側に設けられている前側部分１６９４、股領域１６９５、及び後側に設けられている後側部分１６９６を含む。固定システム１６２０は、前側部分１６９４と後側部分１６９６に接合された連続ＣＡＭ  １６３０を含む。連続ＣＡＭ  １６３０は、前側と交わるようにして設けられている連続ＣＡＭ  １６３０−Ｆの前側部分及び後側と交わるようにして設けられている連続ＣＡＭ  １６３０−Ｂの後側部分を含む。連続ＣＡＭ  １６３０はまた、前側と後側との間に第１側部境界を形成する第１前側境界１６０４−１及び第１後側境界１６０６−１も含む。連続ＣＡＭ  １６３０は、第１側部交差位置１６３０−Ｘ１で第１側部境界と交差する。連続ＣＡＭ  １６３０−Ｆの前側部分は、第１位置１６９１及び第２位置１６９２で前側部分１６９４に直接接続される。連続ＣＡＭ  １６３０−Ｂの後側部分は、第３位置１６９８及び第４位置で後側部分１６９６に接合される。固定システム１６２０を、少なくとも１つの方向に伸張するように構成された外側カバーを有する使い捨て着用可能吸収性物品に含むことができ、固定システム１６２０を、外側カバーに接合することができる。連続ＣＡＭ  １６３０は、第１位置１６９１及び第２位置１６９２で前側部分１６９４に直接接続され、そのそれぞれが第１側部交差位置１６３０−Ｘ１に対して長手方向内側にある。
【０１０１】
図１６Ｂは、本開示による図１６Ａの実施形態の固定システム１６２０を含むパンツ型使い捨て着用可能吸収性物品１６１０−Ｐの実施形態の平面図を示す。パンツ型使い捨て着用可能吸収性物品１６１０−Ｐは、第１前側境界１６０４−１と第２前側境界１６０４−２とを有する前側１６０４、及び第１後側境界１６０６−１と第２後側境界１６０６−２とを有する後側１６０６を含む。第１前側境界１６０４−１と第１後側境界１６０６−１とを接合し、前側１６０４と後側１６０６との間に第１側部境界を形成することができる。第２前側境界１６０４−２及び第２後側境界１６０６−２をまた接合し、前側１６０４と後側１６０６との間に第２側部境界を形成することができる。従って、第１及び第２側部境界は、前側１６０４と後側１６０６との間の第１ＣＡＭ  １６５０及び／又は第２ＣＡＭ  １６６０に対してそれぞれ張力を保持することができる。
【０１０２】
パンツ型使い捨て着用可能吸収性物品１６１０−Ｐはまた、少なくとも１つの方向に伸張するように構成された外側カバーを有するシャーシ１６１１、脚部バンド１６１２、ウエストバンド１６１３−Ｆの前側部分とウエストバンド１６１３−Ｂの後側部分とを有するウエストバンド、長手方向中心線１６１４、及び、横方向中心線１６１５も含む。横方向中心線１６１５は、パンツ型使い捨て着用可能吸収性物品１６１０−Ｐの前側１６０４と後側１６０６との間に境界を形成する。パンツ型使い捨て着用可能吸収性物品１６１０−Ｐは、前側１６０４に設けられている前側部分１６９４、一般に横方向中心線１６１５の周りに設けられている股領域１６９５、及び後側１６０６に設けられている後側部分１６９６を有する吸収性コア１６９０を含む。固定システム１６２０は、吸収性コア１６９０に接合される。
【０１０３】
固定システム１６２０は、吸収性コア１６９０の前側部分１６９４と後側部分１６９６に接合された連続ＣＡＭ  １６３０を含む。連続ＣＡＭ  １６３０は、前側１６０４と交わるようにして設けられている連続ＣＡＭ  １６３０−Ｆの前側部分及び後側１６０６と交わるようにして設けられている連続ＣＡＭ  １６３０−Ｂの後側部分を含む。連続ＣＡＭ  １６３０−Ｆの前側部分は、第１位置１６９１及び第２位置１６９２で吸収性コア１６９０の前側部分１６９４に直接接続される。連続ＣＡＭ  １６３０−Ｂの後側部分は、第３位置１６９８及び第４位置１６９９で吸収性コア１６９０の後側部分１６９６に接合される。
【０１０４】
連続ＣＡＭ  １６３０は、第１側部交差位置１６３０−Ｘ１で第１側部境界と交差し、第２側部交差位置１６３０−Ｘ２で第２側部境界と交差する。連続ＣＡＭ  １６３０は、第１位置１６９１及び第２位置１６９２で吸収性コア１６９０の前側部分１６９４に直接接続され、そのそれぞれが側部交差位置１６３０−Ｘ１及び１６３０−Ｘ２に対して長手方向内側にある。図１６Ｂの実施形態では、第２側部交差位置１６３０−Ｘ２と第１位置１６９１との間の連続ＣＡＭ  １６３０の一部は、長手方向中心線１６１４及び横方向中心線１６１５に対して角度が付けられている。連続ＣＡＭ  １６３０のその部分と長手方向中心線との間の角度関係は、図１６Ｂに角度βで示されている。第１側部交差位置１６３０−Ｘ１と第２位置１６９２との間の連続ＣＡＭ  １６３０の一部もまた、長手方向中心線１６１４及び横方向中心線１６１５に対して角度が付けられている。連続ＣＡＭ  １６３０の一部の類似の角度関係は、パンツ型使い捨て着用可能吸収性物品１６１０−Ｐの後側１６０６にも存在する。一部の実施形態では、連続ＣＡＭの１つ以上の部分もまた湾曲することができる。様々な実施形態では、第１位置１６９１又は第２位置１６９２のいずれかが、第１側部交差位置１６３０−Ｘ１又は第２側部交差位置１６３０−Ｘ２に対して長手方向内側にあることができる。連続ＣＡＭ  １６３０はまた、第３位置１６９８及び第４位置１６９９で吸収性コア１６９０の後側部分１６９６に直接接続され、そのそれぞれが側部交差位置１６３０−Ｘ１及び１６３０−Ｘ２に対して長手方向内側にある。様々な実施形態では、固定システム１６２０を、第３位置１６９８又は第４位置１６９９のいずれかが、第１側部交差位置１６３０−Ｘ１又は第２側部交差位置１６３０−Ｘ２に対して長手方向内側にあることができるように構成することができる。代替の実施形態では、連続ＣＡＭ  １６３０を、第１側部交差位置１６３０−Ｘ１及び／又は第２側部交差位置１６３０−Ｘ２から長手方向外側である１つ以上の位置で吸収性コア１６９０の後側部分１６９６に直接接続することができる。
【０１０５】
様々な実施形態では、別の方法として固定システム１６２０は、当業者により理解されるように図１５Ａ及び１５Ｂの実施形態の連続ＣＡＭ  １５３０−Ｆの前側部分、又は図１７の実施形態の連続ＣＡＭ  １７３０−Ｆの前側部分と関連して説明されるように構成された連続ＣＡＭの前側部分を含むことができる。また、様々な実施形態では、別の方法として固定システム１６２０は、当業者により理解されるように図１５Ａ及び１５Ｂの実施形態の連続ＣＡＭ  １５３０−Ｂの後側部分、又は図１７の実施形態の連続ＣＡＭ  １７３０−Ｂの後側部分と関連して説明されるように構成された連続ＣＡＭの後側部分を含むことができる。
【０１０６】
図１７は、本開示による着用者１７００が着用したときの使い捨て着用可能吸収性物品に使用される固定システム１７２０及び吸収性コア１７９０の実施形態の斜視図を示す。着用者１７００は、腹部１７０２、背部１７０３、尻部１７０５、及び上部脚部１７０９を含む。固定システム１７２０は、吸収性コア１７９０に接合される。固定システム１７２０は、本明細書に説明したように前側及び後側を有する使い捨て着用可能吸収性物品に使用するために構成される。吸収性コア１７９０は、前側に設けられている前側部分１７９４、股領域１７９５、及び後側に設けられている後側部分１７９６を含む。固定システム１７２０は、前側部分１７９４及び後側部分１７９６に接合された連続ＣＡＭ  １７３０を含む。連続ＣＡＭ  １７３０は、前側と交わるようにして設けられている連続ＣＡＭ  １７３０−Ｆの前側部分及び後側と交わるようにして設けられている連続ＣＡＭ  １７３０−Ｂの後側部分を含む。固定システム１７２０を、少なくとも１つの方向に伸張するように構成された外側カバーを有する使い捨て着用可能吸収性物品に含むことができ、固定システム１７２０を、外側カバーに接合することができる。
【０１０７】
固定システム１７２０はまた、第１ＬＤＥ末端部１７７３を有する第１ＬＤＥ  １７７２、第２ＬＤＥ末端部１７７７及び１７７９を有する第２ＬＤＥ  １７７８、第３ＬＤＥ末端部１７８１及び１７８３を有する第３ＬＤＥ  １７８２、及び第４ＬＤＥ末端部を有する第４ＬＤＥも含む。第１ＬＤＥ  １７７２の第１ＬＤＥ末端部１７７３は、第１ＬＤＥ位置１７９１で吸収性コア１７９０の前側部分１７９４に直接接続され、第１ＬＤＥ１７７２の第１ＬＤＥ末端部は、連続ＣＡＭ  １７３０−Ｆの前側部分に直接接続される。第２ＬＤＥ  １７７８の第２ＬＤＥ末端部１７７９は、第２位置１７９２で吸収性コア１７９０の前側部分１７９４に直接接続され、第２ＬＤＥ  １７７８の第２ＬＤＥ末端部１７７７は、連続ＣＡＭ  １７３０−Ｆの前側部分に直接接続される。第３ＬＤＥ  １７８２の第３ＬＤＥ末端部１７８３は、第３位置１７９８で吸収性コア１７９０の後側部分１７９６に直接接続され、第３ＬＤＥ  １７８２の第３ＬＤＥ末端部１７８１は、連続ＣＡＭ  １７３０−Ｂの後側部分に直接接続される。第４ＬＤＥの第４ＬＤＥ末端部は、吸収性コア１７９０の後側部分１７９６に直接接続され、第４ＬＤＥの第４ＬＤＥ末端部は、連続ＣＡＭ  １７３０−Ｂの後側部分に直接接続される。固定システム１７２０の様々な実施形態では、より多くの又はより少ないＬＤＥを使用することができる。
【０１０８】
様々な実施形態では、別の方法として固定システム１７２０は、当業者により理解されるように図１５Ａ及び１５Ｂの実施形態の連続ＣＡＭ  １５３０−Ｆの前側部分、又は図１６Ａ及び１６Ｂの実施形態の連続ＣＡＭ  １６３０−Ｆの前側部分と関連して説明されるように構成された連続ＣＡＭの前側部分を含むことができる。また、様々な実施形態では、別の方法として固定システム１６２０は、当業者により理解されるように図１５Ａ及び１５Ｂの実施形態の連続ＣＡＭ  １５３０−Ｂの後側部分、又は図１６Ａ及び１６Ｂの実施形態の連続ＣＡＭ  １６３０−Ｂの後側部分と関連して説明されるように構成された連続ＣＡＭの後側部分を含むことができる。
【０１０９】
本開示の実施形態は、着用者に適切に合わせる固定システムを有する使い捨て着用可能吸収性物品を含む。一部の実施形態では、これらの物品は、伸縮性外側カバーを含むことができる。これらの使い捨て着用可能吸収性物品の設計は、着用者が動くときに物品が着用者の体に順応する下着様外観を有することを可能にする。これらの物品の設計はまた、着用者が着用したとき物品がたるみ又は滑り落ちるのを防止するのを助けることもする。その結果、本開示の使い捨て着用可能吸収性物品は、物品がぴったりと合い、所定の場所に留まり、漏れない傾向があるので快適な感じがし、魅力的に見え、適切に機能することができる。
【０１１０】
本開示の使い捨て着用可能吸収性物品の比較性能を評価するため、３つの使い捨て着用可能吸収性物品を試験した。試験した第１の使い捨て着用可能吸収性物品は、２００７年１月オハイオ州シンシナティ（Cincinnati）のクロガー（Kroger）で購入した、容易に開く側部、寸法２Ｔ−３Ｔ、女性用（「ハギーズ（HUGGIES）試験製品」）のハギーズ・ブランド・プルアップス（PullUps）であった。試験した第２の使い捨て着用可能吸収性物品は、２００７年１月オハイオ州シンシナティのクロガーで購入した、パンパース（PAMPERS）・ブランド・イージーアップス（Easy Ups）、寸法４（「パンパース試験製品」であった。
【０１１１】
試験した第３の使い捨て着用可能吸収性物品は、本開示の実施形態により構成された、寸法４（size 4）パンツ型使い捨て着用可能吸収性物品（「新規試験製品）」であった。新規試験製品は、吸収性コア、外側カバー、脚部バンド、ウエストバンド、及び吸収性コアを着用者に固定するように構成された固定システムを含んでいた。吸収性コアは、トップシート、吸収性コア、バックシート、及びバリアレグカフを含むバケツ形状の吸収性コア組立体であった。トップシートは、実物大のトップシートであり、吸収性コアの両末端部を越えて伸張させ、物品の両末端部でウエストバンドに直接固着した。吸収性コア組立体を、横方向の中心固着により外側カバーに取り付け、吸収性コア組立体のバックシートの全体的な長手方向長さの実質的に全てを越えて伸張させた。外側カバーは、横方向に伸縮可能であった。固定システムは、外側カバーに組み込まれた連続周辺固定部材を有していた。固定システムの前側を、図１６Ａ及び１６Ｂの実施形態により構成し、固定システムの後側を、図１５Ａ及び１５Ｂの実施形態により構成した。周辺固定部材は、５０ｇｓｍエラストマー扁平フィルム、２５ミリメートル幅（トレデガー・インダストリーズ（Tredegar Industries）からＸ３３２３２として入手可能）であった。
【０１１２】
３つの試験製品は、人体模型落下試験で試験した。人体模型落下試験は、図１８Ａ〜１８Ｄに示すような幼児人体模型１８００を使用した。幼児人体模型１８００は、以下に説明するようにモデル幼児の人間の体の一部に基づいている。図１８Ａは、幼児人体模型１８００の正面図を示す。幼児人体模型１８００は、腹部１８０２、尻部１８０５、上部脚部１８０９、前側へそマーカー（front navel marker）１８１１、及びピーポイント（pee point）１８１５を含む。前側へそマーカー１８１１は、モデル幼児の腹部上のへその解剖学的位置に位置する。ピーポイント１８１５は、モデル幼児の尿道出口位置の解剖学的位置に位置する。
【０１１３】
幼児人体模型１８００は、約１７センチメートルの総胴体幅１８２１及び約２１．５センチメートルの総上部脚部幅１８２９を有する。幼児人体模型１８００はまた、約５．５センチメートルの幼児人体模型１８００の上部縁部から前側へそマーカー１８１１までの前側へそ垂直参照寸法１８３１も含む。幼児人体模型１８００はまた、約１２センチメートルの前側へそマーカー１８１１からピーポイント１８１５までのピーポイント垂直参照寸法１８３５も含む。幼児人体模型１８００は、約２５センチメートルの総高さ１８３９を有する。寸法１８２１、１８２９、１８３１、１８３５、及び１８３９のそれぞれは、空間を介して測定されたおおよその寸法であり、幼児人体模型１８００の表面に対してではない。
【０１１４】
幼児人体模型１８００はまた、約４８．５センチメートルのへそ周囲１８５１、約５０センチメートルのウエスト周囲１８５３、約３４．５センチメートルの股部折り目周囲１８５５、約４８．５センチメートルのウエストたが（waist hoop）周囲１８５７、及び約５０センチメートルの尻部周囲１８５９も有する。寸法１８５１、１８５３、１８５５、１８５７、及び１８５９のそれぞれは、幼児人体模型１８００の表面上の周りで測定されたおおよその寸法である。
【０１１５】
図１８Ｂは、図１８Ａの実施形態の幼児人体模型１８００の背面図を示す。幼児人体模型１８００は、背部１８０３、尻部１８０５、臀部１８０７、上部脚部１８０９、及び後側へそマーカー１８１９を含む。幼児人体模型１８００は、約２０センチメートルの総上部尻部幅１８２５を有し、それは、空間を介して測定されたおおよその寸法であり、幼児人体模型１８００の表面に対してではない。
【０１１６】
図１８Ｃは、図１８Ａの実施形態の幼児人体模型１８００の側面図を示す。幼児人体模型１８００は、腹部１８０２、背部１８０３、尻部１８０５、臀部１８０７、及び上部脚部１８０９を含む。幼児人体模型１８００は、約１３センチメートルの腹部から背部への奥行き１８４３を有する。幼児人体模型１８００は、約１６センチメートルの腹部から臀部への奥行き１８４７を有する。寸法１８４３及び１８４７のそれぞれは、空間を介して測定されたおおよその寸法であり、幼児人体模型１８００の表面に対してではない。
【０１１７】
図１８Ｄは、図１８Ａの実施形態の幼児人体模型１８００の内部図を示す。図１８Ｄでは、幼児人体模型１８００の内部構造を明らかにするため、幼児人体模型の外側部分は透明なものとして示されている。幼児人体模型１８００の内側構造は、背部チューブ１８２１、泌尿器チューブ１８２２、尻部ロッド１８２３、第１背部ディスク１８２４、脚部ディスク１８２５、第２背部ディスク１８２６、及び尻部ロッド末端部１８２７を含む。これらの内部構造は、幼児人体模型１８００を内部で支え、人間の体の骨格系の機能を模倣することを意図している。幼児人体模型１８００は、以下に説明するように構成される。
【０１１８】
幼児人体模型１８００を、可能な限り実物であるように構成し、人体模型落下試験の結果が使用中のおむつたるみと比較できるようにした。この方法の成功のための別の重要な基準は、幼児人体模型１８００製作時に非金属材料を使用することであった。これは、幼児人体模型１８００をＭＲＩ磁石と適合させる。幼児人体模型１８００の製作には、いくつかの工程を要した。先ず、好適なモデル幼児を特定した。この子供は、およそ１１．８ｋｇの体重があり、パンパース寸法４イージーアップス（７．３〜１５．４ｋｇ）の推奨体重範囲の中間の子供に典型的なプロポーションを有していた。次に、子供の撮影表面走査を、３ｄＭＤ  ５ポッド胴体撮影システム（ジョージア州アトランタ（Atlanta）の３ｄＭＤから入手可能）を使用して行った。走査からの表面データを、オハイオ州シンシナティのストラクチュラル・アナリシス・エンジニアリング社（Structural Analysis Engineering Corporation）／キネティック・ビジョン（Kinetic Vision）により厳密でない多角形適用範囲（例えば、会陰部の増大）を有する領域で電子的に強化した。続いて人体模型マスターを、硬質ポリマーシェルとしてステレオリソグラフィー（stereolithographic）装置を使用して製作した。金型をこのシェルから作製し、柔らかい実際の皮膚、硬質プラスチック内部支持構造体、及び生理食塩水を供給する配管を有する幼児人体模型１８００を試験用に製作した。
【０１１９】
以下に、上記した構成プロセスを更に説明する。ＭＲＩ適合性のある実物のような幼児人体模型１８００を組み立てるための第１工程は、全てのそれに続く作業ユニットをモデル化することになるマスターを製作することである。生きたモデルからの模型が同様に機能するが、人体模型のベースとして典型的に点群データ（point cloud data）を使用することができる。点群は、レーザー走査、可視光線走査、又はＭＲＩを含む種々のソースから得ることができる。この点群データは、マスターモデルの後続する追加組み立てを可能にする関心の解剖学的構造の表面形状を補足する。点群データを、追加組み立てプロセスのｓｔｌファイル（stl file）に変換することができる。人体模型の追加組み立てに一般的に使用される方法は、ステレオリソグラフィー（Stereolithography）又はＳＬＡであるが、選択レーザー焼結、溶融付着形成モデリング（Fused Deposition Modeling）又は多くの一般的追加法（additive method）の全てを同様に成功裏に使用し得る。幼児人体模型１８００を、３Ｄ  ＳＬＡ  ５０００（カリフォルニア州バレンシア（Valencia）の３Ｄシステムズ（3D systems）から入手可能）を使用して組み立てた。
【０１２０】
ひとたびマスターが製作されると、人体模型構造の固定点及び配管を取り付けることができる。マスターにこれらの固定点を取り付けることで、それらが金型で恒久的に再生される際、全てのコピーがこれらの同じ基準点（datum point）を正確に反映するのを確実にする。固定点を、マスターを製作するために使用されるｓｔｌファイルにもデジタル方式で製作することができる。
【０１２１】
次の工程は、人体模型マスターを粘土のベッドに「横たえ」、金型プロセスを容易にするため人体模型マスター体を分割された前側と後側の２つに半分に分離する分割線を生成することである。ひとたび粘土中に適切に位置決めし鋳型枠に入れたら、室温加硫ゴム（vulcanized rubber）又はＲＴＶ（オハイオ州エイボン（Avon）のフリーマン・マニファクチャリング（Freeman Manufacturing）からロディアラバー（Rhodia Rubber）Ｖ２４０として入手可能）を人体模型を覆って注ぎ込み、重合させ、発明者らの金型の第１半分を生成する。ＲＴＶが十分に硬化されたら粘土を金型から取り除き、発明者らのＲＴＶ金型の第２及び最後の半分を注ぎ込み、所望の人体模型の二部分からなるシリコーンゴム金型を提供する。
【０１２２】
今完成した二部分からなるＲＴＶゴム金型からマスターを取り除いた後、２つの金型キャビティーを単一構成要素ポリウレタン（例えば、カリフォルニア州タスチン（Tustin）のＢＪＢ社（BJB Enterprises）から入手可能なＳＣ−８９）又は類似の材料でエアブラッシング／スプレーし、基礎となるウレタンゲルに優先的に付着する皮膚様金型内コーティングをもたらす。十分な数のコーティングを行い、厚さ０．２５〜０．７６ミリメートル（０．０１０”〜０．０３０”）の範囲にわたる厚さの堅固な皮膚様コーティングを生成する。コーティングは、幼児人体模型１８００の最も外側の皮膚をもたらす。
【０１２３】
そして十分にコーティングされた金型は、幼児人体模型１８００の内部構造体を組み付ける準備が整う。内部構造体を、幼児人体模型１８００の生きているような機動性並びに内部安定性及び堅固な構造体を確実にするよう組み立て及び設計された球状末端部ジョイント及び穿孔プレートを含むプラスチック構成要素から作製する。第１及び第２背ディスク１８２４及び１８２６は、Ｒｅｎ又はＲＰ６４０５（ユタ州ソルトレイクシティ（Salt Lake City）のハンツマン・ケミカルズ（Huntsman Chemicals）から入手可能）と呼ばれる７５ｄ硬度を有する二成分ポリウレタンから構成される。残りの内部構造体は、典型的な熱可塑性部品、例えば尻部ロッド１８２３及び脚部ディスク１８２５用ＡＢＳ（ニューヨーク州オーチャードパーク（Orchard Park）のカーベルプラスチックス（Curbell Plastics）から入手可能）、背部チューブ１８２２用アクリル（ニューヨーク州オーチャードパークのカーベルプラスチックスから入手可能）、及び尻部ロッド末端部１８２７用ナイロン（イリノイ州レイクフォレスト（Lake Forest）のグレインガー（Grainger）から入手可能）から構成される。人体模型を、泌尿器チューブ１８２２として人体模型内部に軟質ゴムチューブ（１０２２、ペンシルベニア州ウェストチェスター（West Chester）のＶＷＲから入手可能なタイゴン（Tygon）Ｒ３００３）を定置することにより「小便する」ように配管した。チューブを、人体模型の上部に出て、ピーポイント１８１５である尿道の解剖学的に正確な開口で流体を取り入れるように配管した。該構造を、前述した固定点に挿入して、所定の場所で固定し、全ての配管チューブを挿入して、２つの金型の半分を一緒に固定した。マグネビストドープ（magnevist doped）生理食塩水で満たされた１センチメートル直径ガラス球体を、前側へそマーカー１８１１及び後側へそマーカー１８１９として人体模型の表面に近接して人体模型内部に組み付けした。前側へそマーカー１８１１を、表面走査から解剖学的に正確なへその位置に定置した。後側へそマーカー１８１９を、幼児人体模型１８００の後側１８０３のおおよそ中心の周りのへそで幼児人体模型１８００の周囲を追従することにより位置決めした。幼児
人体模型１８００の後側１８０３の中心とへその周囲の交点が、後側へそマーカー１８１９が位置決めされる点をもたらす。これらのマーカーが、ＭＲＩ実験の画像形成平面の位置合わせの参照点としての働きをする。ガラス球体を、ガラスブロワー（glass blower）により手造りで作製する。小さい開円筒をｓｔｌファイル内に製作し、所定の場所でマーカーを保持した。
【０１２４】
次に、金型を生身のような感覚（flesh-like feel）及び圧縮性を有する３つの構成要素熱硬化性材料である軟質ポリウレタンゲル（カリフォルニア州タスチンのＢＪＢ社（BJB Enterprises）から入手可能なＴＣ−４１０）で満たした。この熱硬化性材料としては、樹脂、硬化剤、及び可塑剤が挙げられる。典型的に、１００部の可塑剤を１００部の混合された樹脂と硬化剤に使用した。この材料が所定のゲートを通って金型を満たし、固結を可能にした。熱硬化性ゲルの重合に適切な時間の後、金型を開け、完成した幼児人体模型１８００を取り除いた。
【０１２５】
人体模型落下試験スタンド１０００−１を使用した人体模型落下試験を図１９Ａ〜１９Ｄに示し、以下に説明した。図１９Ａは、人体模型落下試験スタンド１０００−１の正面図を示す。図１９Ｂは、人体模型落下試験スタンド１０００−１の平面図を示す。図１９Ｃは、人体模型落下試験スタンド１０００−１の内部平面図を示す。図１９Ｄは、人体模型落下試験スタンド１０００−１の側面図を示す。
【０１２６】
人体模型落下試験スタンド１０００−１を、日本のカトー・テック株式会社（Kato Tech. Co., Ltd.）から「アルファフレームシステム（alfa frame system）」として購入し、幼児人体模型１８００に使用するために修正した。該修正は、上部プレート１００３、ゴムストッパー１００４、及び長ねじ１００１の追加を含む。人体模型落下試験スタンド１０００−１は、アルミニウムから作製されるが、スタンドは、幼児人体模型１８００を保持するのに十分な強度を有する別の好適な金属から作製することも可能である。人体模型落下試験スタンド１０００−１は、開放スロット１００１を有する２８×１５センチメートル及び厚さ１センチメートルであり、長さ３５ミリメートル、幅１０ミリメートルである上部プレート１００３を含み、幼児人体模型１８００を直径６ミリメートル、長さ３０ミリメートルである４本の六角頭ねじ１００２を使用して上部プレート１００３にしっかりと保持することを可能とする。開放スロット１０１１はまた、幼児人体模型１８００の位置も調節することができ、幼児人体模型１８００に対する隙間は、幼児人体模型１８００が自由落下時に人体模型落下試験スタンド１０００−１と接触しないで人体模型落下試験スタンド１０００−１を通って落下することを可能とする。上部プレート１００３はまた、長さ１１センチメートルであり、人体模型落下試験時に上部プレート１００３及び幼児人体模型１８００を持ち上げるのを支援する２つの回転ハンドル１０００も備え付けている。直径６ミリメートル及び長さ２５０ミリメートルである２つの長ねじ１００１は、上部プレート１００３の角部で直径１１ミリメートルである孔１０１０を通過し、上部プレート１００３及び幼児人体模型１８００を垂直に持ち上げるガイドとして作用する。ねじ１００１を、落下の高さの参照点として上部プレート１００３の上部の上２０センチメートルに恒久マーカーペンでマークした。それらの底部で直径２５ミリメートル、高さ３５ミリメートル、上部プレート１００３の各角部でそれらの最も広い直径が３５ミリメートルである４つのゴムストッパー１００４は、上部プレート１００３の衝撃を和らげるように作用する。ゴムストッパー１００４を、それらが摩耗の兆候を示す場合交換することができる。人体模型落下試験スタンド１０００−１の１９×６センチメートルである上部１００５、４２．５×６センチメートルである側部１００６、及び３０×３３×３センチメートルである底部１００７は、上部プレート１００３及び幼児人体模型１８００の重量を支持するように機能する。上部プレート１００３の中心の直径が３２ミリメートルである円形の孔１０１２は、おむつを装着するのに使用されるタイゴンチューブが上部プレート１００３を通過することを可能にする。
【０１２７】
カトー・テクノロジーズ社（Kato Technologies Inc）から購入した「アルファフレームシステム」も図１９Ｃに示したように修正し、適切な隙間が、幼児人体模型１８００が自由に落下することを可能にした。深さ１センチメートル、最も狭い幅８．５センチメートル、外側縁部で幅１０．５センチメートルである２つの切欠き部１０１３を人体模型落下試験スタンド１０００−１の上部１００５から切り取り、十分な空間が、幼児人体模型１８００が支障なく落下することを可能にした。
【０１２８】
図２０は、使い捨て着用可能吸収性物品２０００を着用した図１８Ａの実施形態の幼児人体模型１８００を用いた図１９Ａの実施形態の上部プレート１００３を含む人体模型落下試験スタンド１０００−１の正面図を示す。
【０１２９】
図２１は、人体模型落下試験に使用される前側へそマーカー１８１１を含み使い捨て着用可能吸収性物品２０００を着用した図１８Ａの実施形態の幼児人体模型１８００の正面図を示す。図２１はまた、測定点１０３１及び参照距離２１０１も示す。
【０１３０】
図２２は、たるみ容積測定のため位置決めされた使い捨て着用可能吸収性物品２０００を着用した図１８Ａの実施形態の幼児人体模型１８００の一部の側面図を示す。図２２はまた、ガラストレー１０４０及び厚紙スペーサ１０４１も示す。
【０１３１】
図２０〜２２に示したように人体模型落下試験スタンド１０００−１、幼児人体模型１８００、及び使い捨て着用可能吸収性物品２０００を、以下に説明する人体模型落下試験に使用することができる。
【０１３２】
人体模型落下試験手順
１）幼児人体模型１８００を、人体模型落下試験スタンド１０００−１内に定置する。幼児人体模型１８００をしっかりと上部プレート１００３に取り付け、落下試験時にそれを保持しなければならない。プレートの下部縁部を、測定の参照点として使用する。
【０１３３】
２）使い捨て着用可能吸収性物品２０００を、幼児人体模型１８００上に置く。内部カフが脚部折り目に位置し、使い捨て着用可能吸収性物品２０００の中心が前側へそマーカー１８１１とそろうように使い捨て着用可能吸収性物品２０００を調節する。
【０１３４】
３）恒久マーカーを使用して、使い捨て着用可能吸収性物品２０００の前側と後側に参照距離２１０１である測定点１０３１をマークする、それは、使い捨て着用可能吸収性物品の下８０ミリメートルであり、幼児人体模型１８００の前側へそマーカー１８１１を基準にして中心に置かれる。
【０１３５】
４）１００ｍＬ注射器を使用し８秒＋／−２秒でピーポイント１８１５を通過する食塩水７５ｍＬを用いた使い捨て着用可能吸収性物品２０００を装着する。この手順をそれぞれの負荷間で５分＋／−１秒遅れで２回繰り返す。
【０１３６】
５）物差し又は巻き尺を使用し人体模型上の金属プレートの下部縁部から前側と後側の測定点１０３１までの直線的な距離を垂直に測定する。１ミリメートル単位で測定する。視差を避けるため、物差しを、人体模型落下試験スタンド１０００−１に取り付けることもでき、測定を直接関心点を見ながら行うこともできる。測定された直線距離は、初期負荷位置値である。人体模型落下試験スタンド１０００−１を、この測定中テーブルに定置し、落下操作中床に置く。
【０１３７】
６）無理な力を加えないで人体模型落下試験スタンド１０００−１から幼児人体模型１８００を取り除き、上部プレート１００３を取り除く。幼児人体模型１８００は、ガラストレー１０４０（例えば、長さ約３４センチメートル、幅２４センチメートル、高さ６センチメートルであるオーブン皿）内にうつ伏せに定置し、上部及び下部を小さい厚紙スペーサ１０４１、それぞれ約５×５平方センチメートルで支え、発泡体スペーサで高さ１〜２センチメートルに支持し、使い捨て着用可能吸収性物品２０００のコアをテーブルとの接触による変形から保持すべきである。次に、幼児人体模型１８００とガラストレー１０４０の足を先ずＭＲＩ装置内に定置し、以下のＭＲＩ測定項に説明するようにたるみ容積を測定する。以下に示すパラメーターを使用してＭＳＭＥデータセットを収集し、３ｄＭＲＩデータセットを得る。視界（ＦＯＶ）を人体模型の周りに集中させる。人体模型がＦＯＶ内で上から下まで中心に置かれるようにテーブルの位置を調節する。この位置決めの結果は、おおよそピーポイント１８１５から肛門までの幼児人体模型１８００の会陰領域が、９９スライスＭＳＭＥ順序の中心に近接して補足される。ピーポイント１８１５に沿った前側及び後側へそマーカー１８１１及び１８１９を、画像形成平面をそろえるのを助けるために使用することができる。
【０１３８】
７）幼児人体模型１８００を上部プレート１００３に再度取り付け、幼児人体模型１８００の後側を人体模型落下試験スタンド１０００−１内に定置する。幼児人体模型１８００を人体模型落下試験スタンド１０００−１上の高さ２０センチメートルのマークに持ち上げ、それが高さ２０センチメートルから自由に落下するように幼児人体模型１８００を解放する。金属プレートは、自由落下時の終りに高さガイド上でゴムストッパー１００４と接触することになる。次に、幼児人体模型１８００を再度持ち上げ、それを落下させ、第２落下を完了する。
【０１３９】
８）工程５で説明したように物差し又は巻き尺を使用して金属プレートの底部から前側と後側の測定点１０３１までの直線距離を測定する。測定した直線距離は、第２落下値である。
【０１４０】
９）工程６を繰り返し、幼児人体模型１８００が、工程６で使用した位置にできる限り近接するように磁石内に定置されることに注意する。また、画像形成平面も工程６で使用された位置合わせとできる限り同じように中心に置く。これらの画像を、第２落下後のたるみ容積である間隙容積を測定するために使用する。
【０１４１】
１０）計算：初期負荷位置値から第２落下値の結果を引き、幼児人体模型１８００上のおむつ位置の変化に対するデルタ値を得る。次に、前側のものと後側のものとの２つのデルタ値を平均し、第２落下と初期位置との間の幼児人体模型１８００上のおむつ位置の変化に対する１つの値を与える。２つのデルタ値の平均が平均たるみである。
【０１４２】
人体模型落下試験からの平均たるみ結果
４個のハギーズ試験製品、６個のパンパース試験製品、及び４個の新規試験製品を、上記した人体模型落下試験で試験した。表１に示すようにこれらの試験のミリメートル単位の平均たるみ結果は、以下であった：
【表１】
2009539482.tif 000003
【０１４３】
本開示の実施形態による新規試験製品の設計は、着用者が着用したとき使い捨て着用可能吸収性物品がたるみ又は滑り落ちるのを防止するのを助けることを平均たるみデータは示している。その結果、本開示の使い捨て着用可能吸収性物品は、物品がぴったりと合い、所定の場所に留まり、漏れない傾向があるので、快適な感じがし、魅力的に見え、適切に機能することができる。
【０１４４】
ＭＲＩ測定
以下の説明は、人体模型落下試験手順に使用されたＭＲＩ測定を説明し、たるみ容積結果を決定する。
【０１４５】
ＭＲＩスペクトロメーターの説明
たるみ容積測定に使用されたＭＲＩシステムは、ＤＢＸ電子機器を用いたブルーカーバイオスペック（Bruker Biospec）４７６０ＡＳである。磁石は、マグネックス（Magnex）ＳＧＲＡＤ内径３８０センチメートル勾配を有する積極的に遮蔽したマグネックスサエンティフィック（Magnex Scientific）４．７Ｔ口径６０センチメートルである。共振器は、アクティブｐｉｎダイオード分離を有するブルーカー内径２８０ミリメートル直交共振器である。システムは、マニュアル操作の患者テーブルを備え、人体模型を勾配及び共振器の中心に配置することを可能にする。
【０１４６】
試薬
マグネビスト弛緩剤を用いた０．９％ＮａＣｌ溶液−１８ｇのＮａＣｌ（試薬等級）を２Ｌ容積に加える。約１Ｌの脱イオン水を加えて、かき混ぜ、ＮａＣｌを溶解する。次に、注射器により４ｍＬのマグネビスト弛緩剤を加えた。脱イオン水を加え２Ｌの溶液を作製する。マグネビストは、部品番号１７９８１、４５０６９オハイオ州ウェストチェスターのベーゼメディカル（Besse medical）から２０ｍＬボトルで入手可能である。
【０１４７】
標準ＭＲＩ容積試料のＭＲＩ測定
この単純な標準は、ＭＲＩデータの収集と処理が正確に行われていることをチェックすることを可能にする。この標準の容積の３つの測定の最終結果は、１０．０ｍＬの＋／−１０％以内であるべきである。
【０１４８】
標準試料を、１０．０ｍＬピペット（ゴムピペット球を備える等級Ａガラスピペット）を使用して調製し、１０．０ｍＬのポリジメチルシロキサン（トーマス（Thomas）シリコーン流体ＳＦ９６／５０、６４２８Ｒ２５、ニュージャージー州スウェデスボロ（Swedesboro）のトーマスサイエンティフィック（Thomas Scientific））を２０ｍＬススクリュートップバイアル瓶（screw top via）内に定置した。バイアル瓶を、キャップ（非金属）で密封した。バイアル瓶を磁石の中心に置き、３ｄ  ＭＳＭＥデータセットを付属書類２に与えられたパラメーターを使用して収集した。
【０１４９】
ＭＲＩを使用した間隙容積の測定
スライスオマティック（SliceOmatic）ソフトウエア（バージョン４．３ｒ６、カナダ、モントリオール（Montreal）のトモビジョン（Tomovision））を使用し、ＭＲＩデータからＭＲＩポリシロキサン参照標準の容積及びおむつ間隙容積（ＤＧＶ）を測定した。たるみ容積としても既知のおむつ間隙容積（ＤＧＶ）を、スライスオマティックソフトウエアを使用し人体模型の会陰区域内の関心特定領域（ＲＯＩ）からのＭＲＩデータから計算した。間隙容積を初期及び第２落下データについて測定後、初期容積を第２落下容積から引き、デルタおむつ間隙容積（ＤＤＧＶ）を計算した。
【０１５０】
スライスオマティックソフトウエアを使用し、おむつ間隙容積（ＤＧＶ）を計算するプロトコル
スライスオマティックソフトウエアバージョン４．３ｒ６を使用して、原ファイルサポート（raw file support）（ファイルメニュー、原画像サポート）を使用した２ｄｓｅｑブルーカー原データファイルの原ヘッダーを製作する。以下のパラメーター−９９スライス、２５６×２５６点、１６ビット、形状−２ミリメートルスライス空隙部を有する１×１×２ミリメートル、冠状スライスを使用する。次に、スライスオマティック（ファイルメニュー、ファイルオープン）を使用して原ファイルを開く。全てのスライス（ツールメニュー、画像情報）を選択する。スライスをスクロールし、ピーポイントを包含するスライスの位置を特定する。生理食塩水を供給するために使用されるこのチューブをスライスを介して追従させ、それが人体模型（図Ｍ４ａを参照）から出る場所を見つける。次に、Ａｄｍｉｎ機能（admin function）（モードメニュー、Ａｄｍｉｎ）を使用し、ピーポイントスライス以降のスライスを選択する。寸法４人体模型の会陰区域から適切に試料を取るためには、１１スライス（厚さ２ミリメートル）で十分である。ひとたびスライスが選択されると、グループ選択を作成する。次に、最初のファイルグループを選択して、それを閉じ、それによって、特定された１１スライスで作業するだけとなる。使用している人体模型に寸法を合わせるために、スライスの数を調節することができる。目標は、ピーポイントで始まり臀部の方へ戻るＤＧＶの少なくとも２〜３センチメートルをカバーすることである。約５０％の混合レベルを有するメディアンフィルタ（median filter）（モードメニュー、フィルタ）を適用する。１１スライス全てを選択し、フィルタを適用する。濃度閾値（モードメニュー、閾値）を使用し、ヒストグラムの２つのピークを分離する閾値を選択する（必要な場合、ヒストグラムのｙ目盛りを広げる）。閾値が２つのピークを有していない場合、人体模型とぬれた状態のおむつコア対象物をバックグラウンドからきれいに分離する閾値を選択する。人体模型とぬれた状態のおむつコアの画素が選択されるとセグメンテーションを計算する。次に、モルフォ（morpho）モード（モードメニュー、モルフォ）に入り、全てのセグメンテーションを計算する。１１スライスブロックの１つの末端部で単一スライスを選択し、タグ１（ツールメニュー、タグロック（Tag lock））をロックする。タグ２と大きいブラシを使用し、スライス内の間隙領域をペイントする。間隙容積（１０３２、図Ｍ４ｂ）を、明るいおむつコア（１０３３）と人体模型（１０２０）との間の画素によって表わす。ＤＧＶ（１０３２）は、おむつコアがどのように折り畳まれるかによりかなり複雑になり得る、例を図Ｍ４ａに示す。おむつコアが人体模型の底部の下に落下する場合、脚部（Ｍ４ｃ）間にあるボクセルだけをタグ付けする。ひとたびＤＧＢボクセル（スクリーン上の各スライスの画素）がタグ付けされると、モルフォモードの上下ボタンを使用して、タグ２を１１スライス全てに拡大し、編集モード（モードメニュー、編集）のブラシを使用して全ての明白な間隙又は間違って選択された画素を除去する。全てのスライスを再度選択し、タグ表面／容積（ツールメニュー、タグ表面／容積）コマンドを使用し、全ての間隙スライス（ＤＧＶ）の全容積を測定する。この値を０．１立法センチメートル単位で報告する。
【０１５１】
ＭＲＩを使用したポリシロキサン標準の測定
ＭＲＩ容積参照のポリジメチルシロキサンの容積を、スライスオマティックソフトウエア及び同様の手順を使用して計算した。原ファイルヘッダーを適切にこのデータファイルに書き込んだ（２０スライス、２５６×２５６点、０．４９×０．４９×１．６ミリメートルボクセル、１．６ミリメートル空隙部、冠状スライス）。おむつ間隙測定の上記した同じフィルタリング及び閾値操作を標準向けに使用した。
【０１５２】
３ｄ  ＭＲＩデータセット−ＭＲＩ容積標準−バイアル瓶内のポリシロキサンを収集することに対するパラメーター
スタディーセットアップ（Study setup）−第１足、うつ伏せ
プロトコル名−ブルーカーＰＶＭ法ＭＳＭＥ（マルチスライス・マルチエコー）
ＭＳＭＥパラメーター：
ＴＸ０＝９．１、ＴＸ１＝２．１（日毎に最適化した）
ＲＧ＝１０００（最適化することもできる）
ＦＯＶ＝１２５×１２５ミリメートル
マトリックス＝２５６×２５６
空間分解能：０．４９×０．４９×１．６ミリメートル
２０冠状スライス
厚さ１．６ミリメートルスライス
読み取る＝Ｌ−Ｒ
ＴＥ＝１５ｍｓ
ＴＲ＝１．０ｓ
パッキング度（Packing extent）３２．０２ミリメートル
励起スライス＝ｓｉｎｃ３．２ｍｓ
再焦点（Refocusing）スライス＝ｓｉｎｃ３１．８ｍｓ
ＳＷ＝１０１，０１０Ｈｚ
実験時間は約４分１６秒であった。
【０１５３】
３ｄ  ＭＲＩデータベース−人体模型おむつたるみ試験を収集することに対するパラメーター
スタディーセットアップ−第１足、うつ伏せ
プロトコル名−ブルーカーＰＶＭ法ＭＳＭＥ（マルチスライス・マルチエコー）
ＭＳＭＥパラメーター：
ＴＸ０＝１０．２、ＴＸ１＝３．３（日毎に最適化した）
ＲＧ＝２５（最適化することもできる）
ＦＯＶ＝２５６×２５６ミリメートル
マトリックス＝２５６×２５６
スライス厚さ２ミリメートル
空間分解能：１×１×２ミリメートル
９９冠状スライス
スライス向き冠状（Slice orientation coronal）
読み取る＝Ｌ−Ｒ
ＴＥ＝１５ｍｓ
ＴＲ＝２．１９ｓ
励起スライス＝ｓｉｎｃ３．２ｍｓ
再焦点スライス＝ｓｉｎｃ３１．８ｍｓ
ＳＷ＝１０１，０１０Ｈｚ
パッキング度１９８ミリメートル
２ｍｓＳｉｎｃ３励起パルス
１．８ｍｓ  Ｓｉｎｃ３再焦点パルス
実験時間は約９分１２秒であった。
【０１５４】
人体模型落下試験からのたるみ容積結果
４個のハギーズ試験製品、４個のパンパース試験製品、及び４個の新規試験製品を、上記した人体模型落下試験で試験した。表２に示すように、磁気共鳴映像装置により測定すると、これらの試験の立方センチメートル単位のたるみ結果は、以下であった：
【表２】
2009539482.tif 000004
【０１５５】
本開示の実施形態による新規試験製品の設計は、着用者が着用したとき使い捨て着用可能吸収性物品がたるみ又は滑り落ちるのを防止するのを助けることをたるみ容積データは示している。その結果、本開示の使い捨て着用可能吸収性物品は、物品がぴったりと合い、所定の場所に留まり、漏れない傾向があるので、快適な感じがし、魅力的に見え、適切に機能することができる。
【０１５６】
幼児試験からのたるみ結果
３個の試験製品を、幼児による使用試験でも試験した。１１人の試験幼児をこの試験のために選んだ。試験幼児は、幼児らが寸法４のおむつを通常着用している、走ることができる、協力的であるという事実をもとに選択した。各幼児は、３個の試験製品のそれぞれを試験し、試験製品だけを着用し、１２２ｍ（４００フィート）を走った。下の表３に示されるように、これらの試験によるミリメートル単位の平均たるみ結果である：
【表３】
2009539482.tif 000005
【０１５７】
このデータで、１００の値は、物品が試験中に落ちたことを示す。尚、試験幼児４は、新規試験製品の試験を完了しなかった。
【０１５８】
本開示の実施形態による新規試験製品の設計は、着用者が着用したとき使い捨て着用可能吸収性物品がたるみ又は滑り落ちるのを防止するのを助けることを幼児試験たるみデータは示している。また、このたるみデータは、他の試験の結果も裏付ける。
【０１５９】
本明細書に開示される寸法及び値は、列挙する正確な数値に狭義に限定されるものとして理解するべきではない。それよりむしろ、特に指定されない限り、こうした各寸法は、列挙した値と、その値周辺の機能的に同等の範囲との両方を意味することを意図したものである。例えば、「４０ミリメートル」として開示する寸法は、「約４０ミリメートル」を意味することを意図したものである。
【０１６０】
「発明を実施するための最良の形態」で引用した全ての文献を、関連した部分において本明細書に参照として組み込むが、いずれの文献の引用も、それが本発明に関する先行技術であることを容認するものと解釈するべきではない。この文書における用語のいずれかの意味又は定義が、参考として組み込まれた文献における用語のいずれかの意味又は定義と対立する範囲については、本文書におけるその用語に与えられた意味又は定義を適用するものとする。
【０１６１】
本発明の特定の実施形態を例示し説明してきたが、本発明の精神及び範囲から逸脱することなく、他の様々な変更及び修正を実施できることが当業者には明白であろう。従って、本発明の範囲内にあるそのような全ての変更及び修正を、添付の特許請求の範囲で扱うものとする。
【図面の簡単な説明】
【０１６２】
【図１Ａ】本開示による、着用者が着用したときの固定システム及び吸収性コアを有する使い捨て着用可能吸収性物品の実施形態の斜視図を示す。
【図１Ｂ】本開示による、着用者が着用したときの図１Ａの実施形態の固定システム及び吸収性コアの斜視図を示す。
【図１Ｃ】本開示による、着用者が着用したときの図１Ａの実施形態の固定システム及び吸収性コアの正面図を示す。
【図１Ｄ】本開示による、着用者が着用したときの図１Ａの実施形態の固定システム及び吸収性コアの背面図を示す。
【図１Ｅ】本開示による、パンツ型使い捨て着用可能吸収性物品としての図１Ａの実施形態の使い捨て着用可能吸収性物品の平面図を示す。
【図１Ｆ】本開示による、締結可能な使い捨て着用可能吸収性物品としての図１Ａの実施形態の使い捨て着用可能吸収性物品の平面図を示す。
【図２Ａ】人間の体の一部の側面図を示す。
【図２Ｂ】図２Ａの実施形態の人間の体の一部の背面図を示す。
【図３Ａ】本開示による、着用者が着用したときの使い捨て着用可能吸収性物品に使用される固定システム及び吸収性コアの実施形態の斜視図を示す。
【図３Ｂ】本開示による、図３Ａの実施形態の固定システムを含むパンツ型使い捨て着用可能吸収性物品の実施形態の平面図を示す。
【図４】本開示による、着用者が着用したときの使い捨て着用可能吸収性物品に使用される固定システム及び吸収性コアの実施形態の斜視図を示す。
【図５】本開示による、着用者が着用したときの使い捨て着用可能吸収性物品に使用される固定システム及び吸収性コアの実施形態の斜視図を示す。
【図６】本開示による、着用者が着用したときの使い捨て着用可能吸収性物品に使用される固定システム及び吸収性コアの実施形態の斜視図を示す。
【図７Ａ】本開示による、着用者が着用したときの使い捨て着用可能吸収性物品に使用される固定システム及び吸収性コアの実施形態の斜視図を示す。
【図７Ｂ】本開示による、図７Ａの実施形態の固定システムを含むパンツ型使い捨て着用可能吸収性物品の実施形態の平面図を示す。
【図８】本開示による、着用者が着用したときの使い捨て着用可能吸収性物品に使用される固定システム及び吸収性コアの実施形態の斜視図を示す。
【図９】本開示による、着用者が着用したときの使い捨て着用可能吸収性物品に使用される固定システム及び吸収性コアの実施形態の斜視図を示す。
【図１０】本開示による、着用者が着用したときの使い捨て着用可能吸収性物品に使用される固定システム及び吸収性コアの実施形態の斜視図を示す。
【図１１Ａ】本開示による、着用者が着用したときの使い捨て着用可能吸収性物品に使用される固定システム及び吸収性コアの実施形態の斜視図を示す。
【図１１Ｂ】本開示による、図１１Ａの実施形態の固定システムを含むパンツ型使い捨て着用可能吸収性物品の実施形態の平面図を示す。
【図１２】本開示による、着用者が着用したときの使い捨て着用可能吸収性物品に使用される固定システム及び吸収性コアの実施形態の斜視図を示す。
【図１３】本開示による、着用者が着用したときの使い捨て着用可能吸収性物品に使用される固定システム及び吸収性コアの実施形態の斜視図を示す。
【図１４】本開示による、着用者が着用したときの使い捨て着用可能吸収性物品に使用される固定システム及び吸収性コアの実施形態の斜視図を示す。
【図１５Ａ】本開示による、着用者が着用したときの使い捨て着用可能吸収性物品に使用される固定システム及び吸収性コアの実施形態の斜視図を示す。
【図１５Ｂ】本開示による、図１５Ａの実施形態の固定システムを含むパンツ型使い捨て着用可能吸収性物品の実施形態の平面図を示す。
【図１６Ａ】本開示による、着用者が着用したときの使い捨て着用可能吸収性物品に使用される固定システム及び吸収性コアの実施形態の斜視図を示す。
【図１６Ｂ】本開示による、図１６Ａの実施形態の固定システムを含むパンツ型使い捨て着用可能吸収性物品の実施形態の平面図を示す。
【図１７】本開示による、着用者が着用したときの使い捨て着用可能吸収性物品に使用される固定システム及び吸収性コアの実施形態の斜視図を示す。
【図１８Ａ】幼児人体模型の実施形態の正面図を示す。
【図１８Ｂ】図１８Ａの実施形態の幼児人体模型の背面図を示す。
【図１８Ｃ】図１８Ａの実施形態の幼児人体模型の側面図を示す。
【図１８Ｄ】図１８Ａの実施形態の幼児人体模型の内部図を示す。
【図１９Ａ】使い捨て着用可能吸収性物品の人体模型落下試験に使用される人体模型落下試験スタンドの実施形態の正面図を示す。
【図１９Ｂ】図１９Ａの実施形態の人体模型落下試験スタンドの平面図を示す。
【図１９Ｃ】図１９Ａの実施形態の人体模型落下試験スタンドの内部平面図を示す。
【図１９Ｄ】図１９Ａの実施形態の人体模型落下試験スタンドの側面図を示す。
【図２０】使い捨て着用可能吸収性物品を着用した図１８Ａの実施形態の幼児人体模型と共に図１９Ａの実施形態の人体模型落下試験スタンドの正面図を示す。
【図２１】本開示による、人体模型落下試験に使用される使い捨て着用可能吸収性物品を着用した図１８Ａの実施形態の幼児人体模型の正面図を示す。
【図２２】本開示による、たるみ容積測定のため位置決めされた使い捨て着用可能吸収性物品を着用した図１８Ａの実施形態の幼児人体模型の一部の側面図を示す。
【図１Ａ】
2009539482.tif 000006
【図１Ｂ】
2009539482.tif 000007
【図１Ｃ】
2009539482.tif 000008
【図１Ｄ】
2009539482.tif 000009
【図１Ｅ】
2009539482.tif 000010
【図１Ｆ】
2009539482.tif 000011
【図２Ａ】
2009539482.tif 000012
【図２Ｂ】
2009539482.tif 000013
【図３Ａ】
2009539482.tif 000014
【図３Ｂ】
2009539482.tif 000015
【図４】
2009539482.tif 000016
【図５】
2009539482.tif 000017
【図６】
2009539482.tif 000018
【図７Ａ】
2009539482.tif 000019
【図７Ｂ】
2009539482.tif 000020
【図８】
2009539482.tif 000021
【図９】
2009539482.tif 000022
【図１０】
2009539482.tif 000023
【図１１Ａ】
2009539482.tif 000024
【図１１Ｂ】
2009539482.tif 000025
【図１２】
2009539482.tif 000026
【図１３】
2009539482.tif 000027
【図１４】
2009539482.tif 000028
【図１５Ａ】
2009539482.tif 000029
【図１５Ｂ】
2009539482.tif 000030
【図１６Ａ】
2009539482.tif 000031
【図１６Ｂ】
2009539482.tif 000032
【図１７】
2009539482.tif 000033
【図１８Ａ】
2009539482.tif 000034
【図１８Ｂ】
2009539482.tif 000035
【図１８Ｃ】
2009539482.tif 000036
【図１８Ｄ】
2009539482.tif 000037
【図１９Ａ】
2009539482.tif 000038
【図１９Ｂ】
2009539482.tif 000039
【図１９Ｃ】
2009539482.tif 000040
【図１９Ｄ】
2009539482.tif 000041
【図２０】
2009539482.tif 000042
【図２１】
2009539482.tif 000043
【図２２】
2009539482.tif 000044
【国際調査報告】
2009539482.tif 000045
2009539482.tif 000046